(57)【要約】【課題】マルチ無線アクセス技術（ＲＡＴ）動作のために構成されたワイヤレス送受信ユニット（ＷＴＲＵ）においてワイヤレス通信を実行するための方法および装置を提供すること。【解決手段】方法は、ＷＴＲＵが、第１のＲＡＴに従って第１の動作周波数上で情報をワイヤレスで伝達するステップを含む。ＷＴＲＵはまた、第２のＲＡＴに従って第２の動作周波数上で情報をワイヤレスで伝達する。【選択図】図４
2019176510.tif 000002
【特許請求の範囲】
【請求項１】
マルチ無線アクセス技術（ＲＡＴ）動作のために構成されたワイヤレス送受信ユニット（ＷＴＲＵ）においてワイヤレス通信を実行する方法であって、
前記ＷＴＲＵが、第１のＲＡＴに従って第１の動作周波数上で情報をワイヤレスで伝達するステップと、
前記ＷＴＲＵが、第２のＲＡＴに従って第２の動作周波数上で情報をワイヤレスで伝達するステップと
を含むことを特徴とする方法。
【請求項２】
前記第１のＲＡＴは、ロングタームエボリューション（ＬＴＥ）および高速パケットアクセス（ＨＳＰＡ）の一方であり、前記第２のＲＡＴは、ＨＳＰＡ、ＬＴＥ、およびＷｉＦｉのうちの１つであることを特徴とする請求項１に記載の方法。
【請求項３】
前記ＷＴＲＵが、ＲＲＣインスタンスを使用して前記第１のＲＡＴにおいて無線リソース制御（ＲＲＣ）接続を確立するステップと、
前記ＷＴＲＵが、前記ＲＲＣ接続上で前記第２のＲＡＴの少なくとも１つのサービングセルのための構成を受け取るステップと、
前記ＷＴＲＵが、前記ＲＲＣインスタンスを使用して前記第２のＲＡＴのための無線リソースを構成するステップと
をさらに含むことを特徴とする請求項１に記載の方法。
【請求項４】
前記ＷＴＲＵは、前記第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、
前記第２のＲＡＴのすべてのサービングセルのための構成を無効化すること、
前記第２のＲＡＴのすべてのサービングセルのための前記構成を削除すること、および
前記第２のＲＡＴのための無線フロントエンドをオフにすること
のうちの少なくとも１つを実行することを特徴とする請求項３に記載の方法。
【請求項５】
前記ＷＴＲＵが、前記第１のＲＡＴに対応するタイプのＲＲＣプロトコルデータユニット（ＰＤＵ）を送信および受信するステップであって、前記第１のＲＡＴに対応する前記タイプの前記ＲＲＣ  ＰＤＵは前記第２のＲＡＴに対応する少なくとも１つの情報要素（ＩＥ）を含む、ステップをさらに含むことを特徴とする請求項１に記載の方法。
【請求項６】
前記ＷＴＲＵが、第１のＲＲＣインスタンスを使用して前記第１のＲＡＴにおいて無線リソース制御（ＲＲＣ）接続を確立するステップと、
前記ＷＴＲＵが、前記ＲＲＣ接続上で前記第２のＲＡＴの少なくとも１つのサービングセルのための構成を受け取るステップと、
前記ＷＴＲＵが、第２のＲＲＣインスタンスを使用して前記第２のＲＡＴのための無線リソースを構成するステップと
をさらに含むことを特徴とする請求項１に記載の方法。
【請求項７】
前記ＷＴＲＵが、前記ＲＲＣ接続上でＰＤＵを送信および受信するステップであって、前記ＰＤＵの各々は、前記第１のＲＲＣインスタンスおよび前記第２のＲＲＣインスタンスの一方に対応するシグナリング無線ベアラ識別子（ＳＲＢ＿ＩＤ）を有する、ステップ
をさらに含むことを特徴とする請求項６に記載の方法。
【請求項８】
前記ＷＴＲＵは、前記第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、
前記第２のＲＡＴのすべてのサービングセルのための構成を無効化すること、
前記第２のＲＡＴのすべてのサービングセルのための前記構成を削除すること、
前記第２のＲＡＴのための無線フロントエンドをオフにすること、および
前記第２のＲＲＣインスタンスを終了させること
のうちの少なくとも１つを実行することを特徴とする請求項６に記載の方法。
【請求項９】
前記ＷＴＲＵが、第１のＲＲＣインスタンスを使用して前記第１のＲＡＴにおいて第１の無線リソース制御（ＲＲＣ）接続を確立するステップと、
前記ＷＴＲＵが、第２のＲＲＣインスタンスを使用して前記第２のＲＡＴにおいて第２のＲＲＣ接続を確立するステップと
をさらに含むことを特徴とする請求項１に記載の方法。
【請求項１０】
前記ＷＴＲＵが、前記第１のＲＡＴのためにアクティブ化されているセキュリティに応答して、前記第２のＲＡＴにおいて前記第２のＲＲＣ接続のためのサービングセルを追加するステップをさらに含むことを特徴とする請求項９に記載の方法。
【請求項１１】
前記ＷＴＲＵが、前記第１のＲＡＴの構成されたサービングセルに対して無線リンク監視（ＲＬＭ）を実行するステップであって、前記第１のＲＡＴは、ＬＴＥである、ステップと、
前記ＷＴＲＵが、前記第１のＲＡＴの前記構成されたサービングセルが無線リンク障害（ＲＬＦ）を被っているかどうかを判定するステップと、
前記ＷＴＲＵが、前記第１のＲＡＴの前記構成されたサービングセルがＲＬＦを被っていると判定するならば、前記第２のＲＡＴのすべてのサービングセルのための構成を削除すること、および前記第２のＲＡＴのための無線フロントエンドをオフにすることの少なくとも一方を実行するステップであって、前記第２のＲＡＴは、ＨＳＰＡである、ステップと
をさらに含むことを特徴とする請求項９に記載の方法。
【請求項１２】
前記ＷＴＲＵが、前記第１のＲＲＣ接続に基づいて前記第２のＲＲＣ接続のためのモビリティ管理を構成するステップをさらに含むことを特徴とする請求項９に記載の方法。
【請求項１３】
マルチ無線アクセス技術（ＲＡＴ）動作のために構成されたワイヤレス送受信ユニット（ＷＴＲＵ）であって、
第１のＲＡＴに従って第１の動作周波数上で情報をワイヤレスで伝達することと、
第２のＲＡＴに従って第２の動作周波数上で情報をワイヤレスで伝達することと
を行うように構成されたトランシーバ
を備えることを特徴とするＷＴＲＵ。
【請求項１４】
前記第１のＲＡＴは、ロングタームエボリューション（ＬＴＥ）および高速パケットアクセス（ＨＳＰＡ）の一方であり、前記第２のＲＡＴは、ＨＳＰＡ、ＬＴＥ、およびＷｉＦｉのうちの１つであることを特徴とする請求項１３に記載のＷＴＲＵ。
【請求項１５】
ＲＲＣインスタンスを使用して前記第１のＲＡＴにおいて無線リソース制御（ＲＲＣ）接続を確立するように構成されたプロセッサをさらに備え、
前記トランシーバは、前記ＲＲＣ接続上で前記第２のＲＡＴの少なくとも１つのサービングセルのための構成を受け取るようにさらに構成され、
前記プロセッサは、前記ＲＲＣインスタンスを使用して前記第２のＲＡＴのための無線リソースを構成するようにさらに構成される
ことを特徴とする請求項１３に記載のＷＴＲＵ。
【請求項１６】
前記トランシーバは、前記第１のＲＡＴに対応するタイプのＲＲＣプロトコルデータユニット（ＰＤＵ）を送信および受信するようにさらに構成され、前記第１のＲＡＴに対応する前記タイプの前記ＲＲＣ  ＰＤＵは前記第２のＲＡＴに対応する少なくとも１つの情報要素（ＩＥ）を含むことを特徴とする請求項１５に記載のＷＴＲＵ。
【請求項１７】
第１のＲＲＣインスタンスを使用して前記第１のＲＡＴにおいて無線リソース制御（ＲＲＣ）接続を確立するように構成されたプロセッサをさらに備え、
前記トランシーバは、前記ＲＲＣ接続上で前記第２のＲＡＴの少なくとも１つのサービングセルのための構成を受け取るようにさらに構成され、
前記プロセッサは、第２のＲＲＣインスタンスを使用して前記第２のＲＡＴのための無線リソースを構成するようにさらに構成される
ことを特徴とする請求項１３に記載のＷＴＲＵ。
【請求項１８】
前記トランシーバは、前記ＲＲＣ接続上でＰＤＵを送信および受信するようにさらに構成され、前記ＰＤＵの各々は、前記第１のＲＲＣインスタンスおよび前記第２のＲＲＣインスタンスの一方に対応するシグナリング無線ベアラ識別子（ＳＲＢ＿ＩＤ）を有することを特徴とする請求項１７に記載のＷＴＲＵ。
【請求項１９】
前記プロセッサは、前記第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、
前記第２のＲＡＴのすべてのサービングセルのための構成を無効化すること、
前記第２のＲＡＴのすべてのサービングセルのための前記構成を削除すること、
前記第２のＲＡＴのための無線フロントエンドをオフにすること、および
前記第２のＲＲＣインスタンスを終了させること
のうちの少なくとも１つを実行するようにさらに構成されることを特徴とする請求項１７に記載のＷＴＲＵ。
【請求項２０】
第１のＲＲＣインスタンスを使用して前記第１のＲＡＴにおいて第１の無線リソース制御（ＲＲＣ）接続を確立することと、
第２のＲＲＣインスタンスを使用して前記第２のＲＡＴにおいて第２のＲＲＣ接続を確立することと
を行うように構成されたプロセッサをさらに備えることを特徴とする請求項１３に記載のＷＴＲＵ。
【請求項２１】
前記プロセッサは、前記第１のＲＡＴのためにアクティブ化されているセキュリティに応答して、前記第２のＲＡＴにおいて前記第２のＲＲＣ接続のためのサービングセルを追加するようにさらに構成されることを特徴とする請求項２０に記載のＷＴＲＵ。
【請求項２２】
前記プロセッサは、
前記第１のＲＡＴの構成されたサービングセルに対して無線リンク監視（ＲＬＭ）を実行することであって、前記第１のＲＡＴは、ＬＴＥである、実行することと、
前記第１のＲＡＴの前記構成されたサービングセルがアップリンク（ＵＬ）無線リンク障害（ＲＬＦ）を被っているかどうかを判定することと、
前記第１のＲＡＴの前記構成されたサービングセルがＵＬ  ＲＬＦを被っていると判定するならば、前記第２のＲＡＴのすべてのサービングセルのための構成を削除すること、および前記第２のＲＡＴのための無線フロントエンドをオフにすることの少なくとも一方を実行することであって、前記第２のＲＡＴは、ＨＳＰＡである、実行することと
を行うようにさらに構成されることを特徴とする請求項２０に記載のＷＴＲＵ。
【請求項２３】
前記プロセッサは、前記第１のＲＲＣ接続に基づいて前記第２のＲＲＣ接続のためのモビリティ管理を構成するようにさらに構成されることを特徴とする請求項２０に記載のＷＴＲＵ。
【発明の詳細な説明】
【技術分野】
【０００１】
本発明は、無線通信技術に関する。
【０００２】
関連出願の相互参照
本出願は、その内容が参照によって本明細書に組み込まれる、２０１１年７月２９日に出願された米国仮出願第６１／５１３，１８０号明細書の利益を主張する。
【背景技術】
【０００３】
ワイヤレスシステムにおける音声およびデータサービスのための、改善されたネットワークカバレージ、改善された容量、および増大した帯域幅に対する要求が、数々の無線アクセス技術（ＲＡＴ）の絶え間ない開発をもたらした。そのようなＲＡＴの例は、例えば、移動体通信用グローバルシステム（ＧＳＭ（登録商標））、広帯域チャネル分割多元接続（ＷＣＤＭＡ（登録商標））、高速パケットアクセス（高速ダウンリンクパケットアクセス（ＨＳＤＰＡ）および高速アップリンクパケットアクセス（ＨＳＵＰＡ）と、それぞれのマルチキャリア版とを含むことができる）、第３世代パートナシッププロジェクト（３ＧＰＰ）のロングタームエボリューション（ＬＴＥ）（ＬＴＥリリース１０以降ではキャリアアグリゲーションのサポートを含むことができる）、ＩＥＥＥ８０２．１１ｂ／ａ／ｇ／ｎ、ＩＥＥＥ８０２．１６ａ／ｅ、ＩＥＥＥ８０２．２０、符号分割多元接続２０００  １ｘ（ＣＤＭＡ２０００  １ｘ）、および第３世代パートナシッププロジェクト２（３ＧＰＰ２）のｃｄｍａ２０００エボリューションデータオプティマイズド（ｃｄｍａ２００  ＥＶ−ＤＯ）を含む。
【発明の概要】
【０００４】
マルチＲＡＴ動作のために構成されたワイヤレス送受信ユニット（ＷＴＲＵ）においてワイヤレス通信を実行するための方法および装置が開示される。方法は、ＷＴＲＵが、第１のＲＡＴに従って第１の動作周波数上で情報をワイヤレスで伝達するステップと、第２のＲＡＴに従って第２の動作周波数上で情報をワイヤレスで伝達するステップとを含む。
【図面の簡単な説明】
【０００５】
より詳細な理解は、添付の図面を併用して例によって与えられる以下の説明から得ることができる。
【図１Ａ】１つまたは複数の開示される実施形態を実施できる例示的な通信システムのシステム図である。
【図１Ｂ】図１Ａに示された通信システム内で使用できる例示的なワイヤレス送受信ユニット（ＷＴＲＵ）のシステム図である。
【図１Ｃ】図１Ａに示された通信システム内で使用できる例示的な無線アクセスネットワークおよび例示的なコアネットワークのシステム図である。
【図２】マルチＲＡＴ通信のための例示的なシステムのブロック図である。
【図３】１つのＲＲＣインスタンスと、ＷＴＲＵ当たり１つのＲＲＣ接続とを使用する、マルチＲＡＴ動作のための例示的なコントロールプレーンのブロック図である。
【図４】図３に示された実施形態に対応するマルチＲＡＴ動作のために構成されたＷＴＲＵにおいてワイヤレス通信を実行する例示的な方法のフロー図である。
【図５】構成された各ＲＡＴのためのＲＲＣインスタンスと、ＷＴＲＵ当たり１つのＲＲＣ接続とを使用する、マルチＲＡＴ動作のための例示的なコントロールプレーンのブロック図である。
【図６】図５に示された実施形態に対応するマルチＲＡＴ動作のために構成されたＷＴＲＵにおいてワイヤレス通信を実行する例示的な方法のフロー図である。
【図７】構成された各ＲＡＴのための、ＲＲＣインスタンスおよびＲＲＣ接続を使用する、マルチＲＡＴ動作のための例示的なコントロールプレーンのブロック図である。
【図８】図７に示された実施形態に対応するマルチＲＡＴ動作のために構成されたＷＴＲＵにおいてワイヤレス通信を実行する例示的な方法のフロー図である。
【図９】Ｅ−ＵＴＲＡ  ＲＲＣ状態と、Ｅ−ＵＴＲＡＮ、ＵＴＲＡＮ、およびＧＥＲＡＮの間のモビリティサポートとを示すブロック図である。
【発明を実施するための形態】
【０００６】
図１Ａは、１つまたは複数の開示される実施形態を実施できる例示的な通信システム１００の図である。通信システム１００は、音声、データ、ビデオ、メッセージング、放送などのコンテンツを複数のワイヤレスユーザに提供する、多元接続システムとすることができる。通信システム１００は、複数のワイヤレスユーザが、ワイヤレス帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００７】
図１Ａに示されるように、通信システム１００は、ワイヤレス送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、ワイヤレス環境において動作および／または通信するように構成された任意のタイプのデバイスとすることができる。例を挙げると、ＷＴＲＵ１０２ａ、１０２ｂ、１０２ｃ、１０２ｄは、ワイヤレス信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、ワイヤレスセンサ、家電製品などを含むことができる。
【０００８】
通信システム１００は、基地局１１４ａおよび基地局１１４ｂも含むことができる。基地局１１４ａ、１１４ｂの各々は、コアネットワーク１０６、インターネット１１０、および／またはネットワーク１１２などの１つまたは複数の通信ネットワークへのアクセスを円滑化するために、ＷＴＲＵ１０２ａ、１０２ｂ、１０２ｃ、１０２ｄの少なくとも１つとワイヤレスでインタフェースを取るように構成された、任意のタイプのデバイスとすることができる。例を挙げると、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、ワイヤレスルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【０００９】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、ワイヤレス信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、トランシーバを３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数のトランシーバを利用することができる。
【００１０】
基地局１１４ａ、１１４ｂは、エアインタフェース１１６を介して、ＷＴＲＵ１０２ａ、１０２ｂ、１０２ｃ、１０２ｄの１つまたは複数と通信することができ、エアインタフェース１１６は、任意の適切なワイヤレス通信リンク（例えば、無線周波（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１１】
より具体的には、上で言及したように、通信システム１００は、多元接続システムとすることができ、ＣＤＭＡ、ＴＤＭＡ、ＦＤＭＡ、ＯＦＤＭＡ、ＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１２】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実施することができる。
【００１３】
他の実施形態では、基地局１１４ａ、およびＷＴＲＵ１０２ａ、１０２ｂ、１０２ｃは、ＩＥＥＥ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、ＧＳＭ  ＥＤＧＥ（ＧＥＲＡＮ）などの無線技術を実施することができる。
【００１４】
図１Ａの基地局１１４ｂは、例えば、ワイヤレスルータ、ホームノードＢ、ホームｅノードＢ、またはアクセスポイントとすることができ、職場、家庭、乗物、キャンパスなどの局所的エリアにおけるワイヤレス接続性を円滑化するために、任意の適切なＲＡＴを利用することができる。一実施形態では、基地局１１４ｂ、およびＷＴＲＵ１０２ｃ、１０２ｄは、ＩＥＥＥ８０２．１１などの無線技術を実施して、ワイヤレスローカルエリアネットワーク（ＷＬＡＮ）を確立することができる。別の実施形態では、基地局１１４ｂ、およびＷＴＲＵ１０２ｃ、１０２ｄは、ＩＥＥＥ８０２．１５などの無線技術を実施して、ワイヤレスパーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１５】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、かつ／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ１０４に接続するのに加えて、コアネットワーク１０６は、ＧＳＭ無線技術を利用する別のＲＡＮ（図示されず）と通信することもできる。
【００１６】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしてサービスすることもできる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００１７】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含むことができる。例えば、図１Ａに示されたＷＴＲＵ１０２ｃは、セルラベースの無線技術を利用できる基地局１１４ａと通信するように、またＩＥＥＥ８０２無線技術を利用できる基地局１１４ｂと通信するように構成することができる。
【００１８】
図１Ｂは、例示的なＷＴＲＵ１０２のシステム図である。図１Ｂに示されるように、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意のサブコンビネーションを含むことができる。
【００１９】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態機械などとすることができる。プロセッサ１１８は、信号符号化、データ処理、電力制御、入出力処理、および／またはＷＴＲＵ１０２がワイヤレス環境で動作することを可能にする他の任意の機能を実行することができる。プロセッサ１１８は、トランシーバ１２０に結合することができ、トランシーバ１２０は、送信／受信要素１２２に結合することができる。図１Ｂは、プロセッサ１１８とトランシーバ１２０とを別々のコンポーネントとして示しているが、プロセッサ１１８およびトランシーバ１２０は、電子パッケージまたはチップ内に一緒に統合できることが理解されよう。
【００２０】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、ワイヤレス信号の任意の組み合わせを送信および／または受信するように構成できることが理解されよう。
【００２１】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインタフェース１１６を介してワイヤレス信号を送信および受信するための２つ以上の送信／受信要素１２２（例えば複数のアンテナ）を含むことができる。
【００２２】
トランシーバ１２０は、送信／受信要素１２２によって送信される信号を変調し、送信／受信要素１２２によって受信された信号を復調するように構成することができる。上で言及したように、ＷＴＲＵ１０２は、マルチモード機能を有することができる。したがって、トランシーバ１２０は、ＷＴＲＵ１０２が、例えばＵＴＲＡおよびＩＥＥＥ８０２．１１などの複数のＲＡＴを介して通信することを可能にするための、複数のトランシーバを含むことができる。
【００２３】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットまたは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０および／または着脱可能メモリ１３２など、任意のタイプの適切なメモリから情報を入手することができ、かつそれらにデータを記憶することができる。着脱不能メモリ１３０は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、セキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示されず）などの上に配置されたメモリから情報を入手することができ、かつそれらにデータを記憶することができる。
【００２４】
プロセッサ１１８は、電源１３４から電力を受け取ることができ、かつＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、燃料電池などを含むことができる。
【００２５】
プロセッサ１１８は、ＧＰＳチップセット１３６に結合することもでき、ＧＰＳチップセット１３６は、ＷＴＲＵ１０２の現在位置に関する位置情報（例えば経度および緯度）を提供するように構成することができる。ＧＰＳチップセット１３６からの情報に加えて、またはその代わりに、ＷＴＲＵ１０２は、基地局（例えば基地局１１４ａ、１１４ｂ）からエアインタフェース１１６を介して位置情報を受け取ることができ、かつ／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得できることが理解されよう。
【００２６】
プロセッサ１１８は、他の周辺機器１３８にさらに結合することができ、他の周辺機器１３８は、追加的な特徴、機能、および／または有線または無線接続性を提供する、１つまたは複数のソフトウェアモジュールおよび／またはハードウェアモジュールを含むことができる。例えば、周辺機器１３８は、加速度計、ｅコンパス、衛星トランシーバ、（写真またはビデオ用の）デジタルカメラ、ユニバーサルシリアルバス（ＵＳＢ）ポート、バイブレーションデバイス、テレビトランシーバ、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００２７】
図１Ｃは、一実施形態による、ＲＡＮ１０４およびコアネットワーク１０６のシステム図である。上で言及したように、ＲＡＮ１０４は、エアインタフェース１１６を介してＷＴＲＵ１０２ａ、１０２ｂ、１０２ｃと通信するために、Ｅ−ＵＴＲＡ無線技術を利用することができる。ＲＡＮ１０４は、コアネットワーク１０６と通信することもできる。
【００２８】
ＲＡＮ１０４は、ｅノードＢ１４０ａ、１４０ｂ、１４０ｃを含むことができるが、ＲＡＮ１０４は、一実施形態との整合性を保ちながら、任意の数のｅノードＢを含むことができることが理解されよう。ｅノードＢ１４０ａ、１４０ｂ、１４０ｃは、各々が、エアインタフェース１１６を介してＷＴＲＵ１０２ａ、１０２ｂ、１０２ｃと通信するための１つまたは複数のトランシーバを含むことができる。一実施形態では、ｅノードＢ１４０ａ、１４０ｂ、１４０ｃは、ＭＩＭＯ技術を実施することができる。したがって、ｅノードＢ１４０ａは、例えば、複数のアンテナを使用して、ＷＴＲＵ１０２ａにワイヤレス信号を送信し、かつＷＴＲＵ１０２ａからワイヤレス信号を受信することができる。
【００２９】
ｅノードＢ１４０ａ、１４０ｂ、１４０ｃの各々は、特定のセル（図示されず）に関連付けることができ、無線リソース管理決定、ハンドオーバ決定、アップリンクおよび／またはダウンリンクにおけるユーザのスケジューリングなどを処理するように構成することができる。図１Ｃに示されるように、ｅノードＢ１４０ａ、１４０ｂ、１４０ｃは、Ｘ２インタフェースを介して互いに通信することができる。
【００３０】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。上記の要素の各々は、コアネットワーク１０６の部分として示されているが、これらの要素は、どの１つをとっても、コアネットワーク運営体とは異なる主体によって所有および／または運営できることが理解されよう。
【００３１】
ＭＭＥ１４２は、Ｓ１インタフェースを介して、ＲＡＮ１０４内のｅノードＢ１４２ａ、１４２ｂ、１４２ｃの各々に接続することができ、制御ノードとしての役割を果たすことができる。例えば、ＭＭＥ１４２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１４２は、ＲＡＮ１０４とＧＳＭまたはＷＣＤＭＡなどの他の無線技術を利用する他のＲＡＮ（図示されず）との間の交換のためのコントロールプレーン機能を提供することもできる。
【００３２】
サービングゲートウェイ１４４は、Ｓ１インタフェースを介して、ＲＡＮ１０４内のｅノードＢ１４０ａ、１４０ｂ、１４０ｃの各々に接続することができる。サービングゲートウェイ１４４は、一般に、ユーザデータパケットのＷＴＲＵ１０２ａ、１０２ｂ、１０２ｃへの／からの経路選択および転送を行うことができる。サービングゲートウェイ１４４は、ｅノードＢ間ハンドオーバ中におけるユーザプレーンのアンカリング（ａｎｃｈｏｒｉｎｇ）、ダウンリンクデータがＷＴＲＵ１０２ａ、１０２ｂ、１０２ｃに利用可能な場合に行う一斉呼出のトリガ、ＷＴＲＵ１０２ａ、１０２ｂ、１０２ｃのコンテキストの管理および記憶など、他の機能を実行することもできる。
【００３３】
サービングゲートウェイ１４４は、ＰＤＮゲートウェイ１４６に接続することもでき、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を円滑化することができる。
【００３４】
コアネットワーク１０６は、他のネットワークとの通信を円滑化することができる。例えば、コアネットワーク１０６は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を円滑化することができる。例えば、コアネットワーク１０６は、コアネットワーク１０６とＰＳＴＮ１０８との間のインタフェースとしての役割を果たすＩＰゲートウェイ（例えばＩＰマルチメディアサブシステム（ＩＭＳ）サーバ）を含むことができ、またはＩＰゲートウェイと通信することができる。加えて、コアネットワーク１０６は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００３５】
ＷＣＤＭＡおよびＬＴＥなどのＲＡＴが開発されたとき、それらは、ＷＴＲＵと基地局との間の送信および受信のために、２つ以上のコンポーネントキャリア（ＣＣ）の使用を可能にするように作成された。ＣＣは、例えば、ＷＴＲＵがその上で動作する周波数とすることができる。例えば、ＷＴＲＵは、ダウンリンク（ＤＬ）ＣＣ上で送信を受信することができ、ＤＬ  ＣＣは、複数のＤＬ物理チャネルを含むことができる。別の例として、ＷＴＲＵは、アップリンク（ＵＬ）ＣＣ上で送信を実行することができ、ＵＬ  ＣＣは、複数のＵＬ物理チャネルを含むことができる。
【００３６】
セルは、ＤＬ  ＣＣ上でブロードキャストされる、またはネットワークから伝えられる専用構成を使用する、ＷＴＲＵによって受け取られるＳＩに基づいて、ＵＬ  ＣＣに関連付けることができる、ＤＬ  ＣＣを少なくとも含む。例えば、ＳＩがＤＬ  ＣＣ上でブロードキャストされる場合、ＷＴＲＵは、（例えば、ＬＴＥについてはＲＲＣ＿ＩＤＬＥにある場合、またはＷＣＤＭＡについてはｉｄｌｅ／ＣＥＬＬ＿ＦＡＣＨにある場合（すなわち、ＷＴＲＵがネットワークへのＲＲＣ接続をまだ有していない場合））関連付けられたＵＬ  ＣＣのＵＬ周波数および帯域幅を、ＳＩ  ＩＥの一部として受け取ることができる。
【００３７】
より具体的には、３ＧＰＰ  ＷＣＤＭＡリリース８は、２つのＨＳＤＰＡコンポーネントキャリアの同時使用に対するサポートを提供し（２Ｃ−ＨＳＤＰＡ）、リリース９は、マルチキャリアＤＬ  ＷＣＤＭＡにおけるＭＩＭＯに対するサポートを提供するとともに、２つのＨＳＵＰＡ  ＵＬ  ＣＣに対するサポートも導入し、リリース１０は、最大で４つのＤＬ  ＣＣに対するサポートを導入した（４Ｃ−ＨＳＤＰＡ）。リリース１１の場合、ＤＬ  ＣＣの数は、８まで増やすことができる（８Ｃ−ＨＳＤＰＡ）。３ＧＰＰ  ＬＴＥリリース１０は、同じ送信間隔内において、基地局と移動局との間で複数のＣＣの無線リソースを使用する、同時送信および／または受信に対するサポートを導入した。ＨＳＰＡのための送信時間間隔（ＴＴＩ）は、２ｍｓのサブフレームであり、３ＧＰＰ  ＬＴＥリリース８、９、および１０のためのＴＴＩは、１ｍｓのサブフレームである（各無線フレーム（１０ｍｓ）は、１ｍｓの等しいサイズのサブフレームを１０個含む）。
【００３８】
異なるＲＡＴのためのネットワークアーキテクチャは、アーキテクチャ内の異なるエンティティにおいて異なる機能をサポートすることができる。いくつかのＲＡＴでは、同様の機能（例えば、ＭＡＣ機能）を、同じアーキテクチャ内の異なるエンティティによって実行することができ、異なるＲＡＴのためのアーキテクチャは、異なるエンティティを含むことができる。例えば、ＵＴＲＡＮの場合、無線リソース制御（ＲＲＣ）、パケットデータ制御プロトコル（ＰＤＣＰ）、無線リンク制御（ＲＬＣ）、媒体アクセス制御個別（ＭＡＣ−ｄ）、およびＭＡＣ−ｉｓサブレイヤは、無線ネットワークコントローラ（ＲＮＣ）内に配置され、一方、媒体アクセス制御高速（ＭＡＣ−ｈｓ）、ＭＡＣ−ｉ、およびレイヤ１（Ｌ１）は、ノードＢ内に配置される。さらに、ユニバーサル地上無線アクセスネットワーク（ＵＴＲＡＮ）の場合、ＭＡＣに対するセキュリティ（例えば、暗号化）、セグメンテーション、および再組み立てサービス、ならびにＰＤＣＰに対する順序通りの配送サービスは、ＲＬＣによって提供され、一方、ＭＡＣは、ＲＬＣレイヤのためのハイブリッド自動再送要求（ＨＡＲＱ）プロセス間での順序を保証する。別の例として、進化型ＵＴＲＡＮ（ｅＵＴＲＡＮ）の場合、ＲＮＣは存在せず、ＲＲＣ、ＰＤＣＰ、ＲＬＣ、およびＭＡＣレイヤは、すべてｅノードＢ（ｅＮＢ）内に配置される。セキュリティ（例えば、暗号化、インテグリティ、および認証）、および（例えば、ハンドオーバ時における）順序通りの配送サービスは、ＰＤＣＰによって提供され、一方、ＲＬＣは、セグメンテーション、再セグメンテーション、および再組み立てサービスをＭＡＣに対して提供する。
【００３９】
ＬＴＥリリース８の設計目的の１つは、配備および無線計画コストを低減させるために、通信事業者が、レガシＷＣＤＭＡ配備のためのサイトと同じサイトを使用して、ＬＴＥを配備できるようにすることであった。したがって、ネットワーク通信事業者は、同じカバレージエリア内にＷＣＤＭＡ／ＨＳＰＡとＬＴＥの両方を配備することができ、ＬＴＥ配備は、既存のＷＣＤＭＡ／ＨＳＰＡ配備と同様のカバレージを有することができ、ＷＣＤＭＡ／ＨＳＰＡアクセスとＬＴＥアクセスの両方をサポートするマルチモードＷＴＲＵが、広く配備され得る。
【００４０】
しかし、スペクトルは、コストのかかるリソースであり、必ずしもすべての周波数帯域が、すべての通信事業者に利用可能ではないことがある。したがって、ＨＳＰＡサービスとＬＴＥサービスの両方に対するサポートを通信事業者が提供できることが期待される一方で、キャリアアグリゲーションシナリオは、与えられた通信事業者に対して、ＲＡＴ当たり高々２〜３個のコンポーネントキャリアに制限されることがある。加えて、ＬＴＥが配備されつつある間、近い将来においてはレガシ配備が維持されることがあるが、これは、ＲＡＴの一方において無線リソース／スペクトルおよび容量が過少にしか利用されない期間を通信事業者が経験する状況をもたらし得る。
【００４１】
ＭＩＭＯを用いるＨＳＰＡリリース１０は、４２Ｍｂｐｓのダウンリンクピークデータレートを提供し、リリース１０マルチキャリアＨＳＰＡは、最大で４つのＤＬ  ＣＣに対するサポートを導入することによって、ピークレートをさらに高めることができる。ＬＴＥリリース８および９は、単一のＣＣ  ＤＬにおいて最大で１００Ｍｂｐｓを提供し、ＲＡＴ内キャリアアグリゲーションを用いるＬＴＥリリース１０は、最大で５つのＣＣの送信リソースを組み合わせることによって、ピークレートをさらに高めることができる。マルチＲＡＴ配備の組み合わされたデータレート／容量を利用するいくつかの動機は、例えば、より高いデータレートを提供するコストを低減させること（データエンハンスメントシナリオ）、ＷＣＤＭＡ／ＨＳＰＡから利用可能なスペクトルが制限されたＬＴＥに移行すること（移行シナリオ）、配備されたＲＡＴの使用を（例えば、負荷バランシングを通して）最大化すること、およびＷＴＲＵにおける無線コンポーネントの使用を最大化すること（例えば、デュアルバンド受信機）を含むことができる。
【００４２】
高められたピークレートを利用することに加えて、通信事業者は、他の理由のために（例えば、ホームｅＮＢ配備のために）、周波数帯域を確保しておきたいことがある。さらに、ＨＳＰＡリソースをＬＴＥリソースと組み合わせることは、（例えば、回線交換（ＣＳ）音声に対して、および／またはＬＴＥデータレートを必要とするサービスに対して）サービス継続性を保証するための手段をさらに提供することができる。したがって、ＷＴＲＵが複数の周波数上で同時に動作できるようにする方法であって、ＷＴＲＵが異なるＲＡＴに従って周波数の少なくとも１つの上で動作する、方法を有することが望ましいことがある。
【００４３】
本明細書で説明される実施形態は、複数の異なるＲＡＴのＣＣ上での同時（または準同時）動作をサポートする、マルチモードＷＴＲＵに関することができる。本明細書で説明される実施形態は、異なるＲＡＴを使用する場合に、マルチモードＷＴＲＵが無線リソース管理および関連するＲＲＣ手順をどのように実行し得るかにも関することができる。一実施形態では、ＷＴＲＵは、異なる周波数上で異なるＲＡＴを使用して、無線リソース管理および関連するＲＲＣ手順を実行することができる。
【００４４】
本明細書で説明されるいくつかの実施形態は、ＬＴＥである第１のＲＡＴと、ＷＣＤＭＡ、ＨＳＵＰＡ、および／またはＨＳＤＰＡである第２のＲＡＴとに関して、およびその逆に関して説明される。しかし、本明細書で説明される実施形態は、任意のワイヤレス技術に適用可能とすることができる。さらに、本明細書では明示的に説明されないが、本明細書で説明される実施形態は、異なる時間間隔においてのみ異なる周波数上で異なるＲＡＴを使用して送信を行う（すなわち、ＴＴＩに基づいた何らかの形態の時分割動作）、および／またはそのような送信が同じ周波数帯域内で実行される、ＷＴＲＵに適用可能とすることができる。
【００４５】
図２は、マルチＲＡＴ通信のための例示的なシステム２００のブロック図である。示されたシステム２００は、ＷＴＲＵ２０４と、２つの基地局（例えば、ｅＮＢ）２０２、および２０６を含む。図２では、１つのＷＴＲＵ２０４が、チャネル２０８、２１０、２１２、および２１４を使用して、２つの基地局２０２、および２０６と通信する。チャネル２０８、２１０、２１２、および２１４は、任意の数の異なるＲＡＴのＵＬおよびＤＬチャネルの任意の組み合わせとすることができる。
【００４６】
マルチＲＡＴ動作は、第１のＲＡＴの少なくとも１つのＣＣ（例えば、ＤＬ  ＣＣ、ＵＬ  ＣＣ、または１つまたは複数のサービングセル）と、第２のＲＡＴの少なくとも１つのＣＣ（例えば、ＤＬ  ＣＣ、ＵＬ  ＣＣ、または１つまたは複数のサービングセル）とを用いる動作のために同時に構成される、任意のマルチモードＷＴＲＵを含むことができる。異なるＣＣ上での動作は、時間的に同時または準同時に発生することができる。例えば、同じＣＣ上において、異なるＲＡＴに従った動作を順次的に使用することもできる。マルチモードＷＴＲＵは、例えば、ＧＳＭ、ＷＣＤＭＡ、ＨＳＰＡ、ＨＳＤＰＡ、ＨＳＵＰＡ、ＬＴＥ、ＩＥＥＥ８０２．１１ｂ／ａ／ｇ／ｎ、ＩＥＥＥ８０２．１６ａ／ｅ、ＩＥＥＥ８０２．２０、ｃｄｍａ２０００  １ｘ、およびｃｄｍａ２０００  ＥＶ−ＤＯの任意の組み合わせなど、複数のＲＡＴをサポートする、任意のモバイル端末を含むことができる。
【００４７】
サービングセルは、例えば、プライマリセル（ＰＣｅｌｌ）またはセカンダリセル（ＳＣｅｌｌ）を含むことができる。より具体的には、いかなるＳＣｅｌｌも用いるようには構成されない、または複数のＣＣ上での動作（キャリアアグリゲーション）をサポートしないＷＴＲＵの場合、ただ１つのサービングセル（ＰＣｅｌｌ）しか存在しないことがある。少なくとも１つのＳＣｅｌｌを用いるように構成されるＷＴＲＵの場合、サービングセルは、構成されたすべてのＰＣｅｌｌおよび構成されたすべてのＳＣｅｌｌを含む、１組の１つまたは複数のセルを含むことができる。
【００４８】
一実施形態では、ＷＴＲＵ２０４は、第１のＲＡＴに従って第１の動作周波数上で情報をワイヤレスで伝達することができ、第２のＲＡＴに従って第２の動作周波数上で情報をワイヤレスで伝達することができる。第１および第２の動作周波数上での通信は、チャネル２０８、２１０、２１２、および２１４の任意の組み合わせを介して行うことができる。例えば、ＷＴＲＵ２０４は、ＤＬチャネル２０８（例えば、ＬＴＥ  ＤＬ）上では第１のＲＡＴ（例えば、ＬＴＥ）に従って第１の動作周波数上で情報をワイヤレスで伝達することができ、ＤＬチャネル２１２（例えば、ＷＣＤＭＡ  ＨＳＤＰＡ）上では第２のＲＡＴ（例えば、ＷＣＤＭＡ）に従って第２の動作周波数上で情報をワイヤレスで伝達することができる。別の例として、ＷＴＲＵ２０４は、ＵＬチャネル２１２（例えば、ＷＣＤＭＡ  ＨＳＤＰＡ）上では第１のＲＡＴ（例えば、ＷＣＤＭＡ）に従って第１の動作周波数上で情報をワイヤレスで伝達することができ、ＵＬチャネル２１４（例えば、ＬＴＥ  ＵＬ）上では第２のＲＡＴ（例えば、ＬＴＥ）に従って第２の動作周波数上で情報をワイヤレスで伝達することができる。
【００４９】
図２に示されるＷＴＲＵ２０４などのＷＴＲＵは、マルチＲＡＴ動作のために構成することができる。複数のＲＡＴへのアクセスをサポートするＷＴＲＵは、例えば、図３〜図８に関して例示および説明されるコントロールプレーンおよび方法など、数々の異なるコントロールプレーン構成の１つ、および数々の異なる方法のいずれか１つを使用して、それらのリソースにアクセスすることができる。
【００５０】
図３は、１つのＲＲＣインスタンス３０２と、１つの状態機械３０４と、ＷＴＲＵ当たり１つのＲＲＣ接続３０６と、１つまたは複数のＳＲＢ３０８とを使用する、マルチＲＡＴ動作のための例示的なコントロールプレーン３００のブロック図である。ＲＲＣインスタンスという用語は、これ以降で言及される場合、複数のＲＲＣ状態（例えば、ＬＴＥ  ＲＲＣプロトコルの場合のＣＯＮＮＥＣＴＥＤまたはＩＤＬＥ）を対応する状態遷移とともに使用して動作する単一の状態機械と、ＲＲＣ制御および測定手順を含む（関連するタイマを含む）ＲＲＣ手順と、ＲＲＣ  ＰＤＵおよび情報要素（ＩＥ）と、（ＲＲＣ、ＰＤＣＰ、ＲＬＣ、ＭＡＣの構成のためのパラメータを含む）ＲＲＣ構成と、物理（ＰＨＹ）レイヤとを含むことができるＲＲＣプロトコルの使用を、可能な追加態様または以下の態様のサブセットに限定することなく、概念的に表すことができる。図３に示される例では、１つのＲＲＣインスタンス３０２は、構成されたすべてのＲＡＴのための無線リソースの管理を扱うことができる。
【００５１】
ＨＳＰＡの場合、少なくとも４つのＲＲＣ状態、すなわち、ＣＥＬＬ＿ＤＣＨ、ＣＥＬＬ＿ＦＡＣＨ、ＣＥＬＬ＿ＰＣＨ／ＵＲＡ＿ＰＣＨ、およびＵＴＲＡ＿ＩＤＬＥが存在する。ＬＴＥの場合、２つのＲＲＣ状態、すなわち、ＲＲＣ＿ＣＯＮＮＥＣＴＥＤ、およびＲＲＣ＿ＩＤＬＥが存在する。ＲＲＣ接続が確立された場合、ＷＴＲＵは、ＲＲＣ＿ＣＯＮＮＥＣＴＥＤにある。それ以外の場合、ＷＴＲＵは、ＲＲＣ＿ＩＤＬＥにある。
【００５２】
ＲＲＣ＿ＩＤＬＥ状態では、ＷＴＲＵは、着信呼、ＳＩの変化、および一実施形態では、早期地上波警報システム（ＥＴＷＳ：ｅａｒｌｙ  ｔｅｒｒｅｓｔｒｉａｌ  ｗａｒｎｉｎｇ  ｓｙｓｔｅｍ）／商用モバイル警報システム（ＣＭＡＳ：ｃｏｍｍｅｒｃｉａｌ  ｍｏｂｉｌｅ  ａｌｅｒｔ  ｓｙｓｔｅｍ）通知を検出するために、少なくとも一斉呼出チャネルを監視し、近隣セル測定、セル選択、セル再選択、およびＳＩ獲得を実行する。ＲＲＣ＿ＣＯＮＮＥＣＴＥＤ状態では、ＷＴＲＵは、ユニキャストチャネル上で送信／受信を行い、着信呼、ＳＩの変化、および一実施形態では、ＥＴＷＳ／ＣＭＡＳ通知を検出するために、少なくとも一斉呼出チャネルおよび／またはＳＩブロックタイプ１を監視することができる。ＷＴＲＵは、プライマリセルに加えて、１つまたは複数のセカンダリセルを用いるように構成することもできる。
【００５３】
上のパラグラフおいて説明されたＲＲＣプロトコルの各々に対して、１組の状態、遷移、メッセージ（例えば、プロトコルデータユニット（ＰＤＵ））、および手順が定義される。図９は、例えば、ＣＥＬＬ＿ＤＣＨ状態９０２、ＣＥＬＬ＿ＦＡＣＨ状態９０４、ＣＥＬＬ＿ＰＣＨおよびＵＲＡ＿ＰＣＨ状態９０６、ＵＴＲＡ＿ＩＤＬＥ状態９０８、Ｅ−ＵＴＲＡ  ＲＲＣ  ＣＯＮＮＥＣＴＥＤ状態９１０、Ｅ−ＵＴＲＡ  ＲＲＣ  ＩＤＬＥ状態９１２、ＧＳＭ＿Ｃｏｎｎｅｃｔｅｄ状態９１４、ＧＰＲＳパケット転送モード９１６、およびＧＳＭ  Ｉｄｌｅ／ＧＰＲＳ  Ｐａｃｋｅｔ  Ｉｄｌｅ状態９１８を含む、Ｅ−ＵＴＲＡ（例えば、ＬＴＥ）ＲＲＣ状態を示すブロック図９００である。図９は、Ｅ−ＵＴＲＡＮ、ＵＴＲＡＮ、およびＧＥＲＡＮの間のモビリティサポートも示している。
【００５４】
一実施形態では、単一のＲＲＣインスタンス３０２が、単一のＲＲＣ接続３０６を管理することができ、それは、任意のＲＡＴの構成されたすべてのサービングセルのための無線リソース管理を扱うために使用することができる。この実施形態によれば、どの時点においても、ＷＴＲＵ当たり高々１つのＲＲＣインスタンスと、１つのＲＲＣ接続が存在することができる。
【００５５】
図４は、図３に示された実施形態に対応する、マルチＲＡＴ動作のために構成されたＷＴＲＵにおいてワイヤレス通信を実行する例示的な方法のフロー図４００である。図４に示される例では、ＷＴＲＵは、最初に、ネットワークにアクセスし、ＲＲＣインスタンス３０２を使用して、第１のＲＡＴ（例えば、プライマリＲＡＴ（ＰＲＡＴ））においてＲＲＣ接続３０６を確立することができる（４０２）。その後、ＷＴＲＵは、ＲＲＣ接続３０６上で、第２のＲＡＴ（例えば、セカンダリＲＡＴ（ＳＲＡＴ））の少なくとも１つのサービングセルを追加する構成を受け取ることができる（４０４）。その後、ＷＴＲＵは、単一のＲＲＣインスタンス３０２を使用して、無線リソースを構成することができる（４０６）。
【００５６】
プライマリセル（ＰＣｅｌｌ）は、例えば、ＷＴＲＵがシステムへの初期アクセスを実行する、プライマリ周波数上でのセル動作を含むことができる（例えば、ＷＴＲＵが初期接続確立手順を実行するセル、ＷＴＲＵが接続再確立手順を開始するセル、またはハンドオーバ手順においてプライマリセルとして指示されるセル）。ＰＣｅｌｌは、ＲＲＣ構成手順の一部として示された周波数に対応することもできる。いくつかの機能は、ＰＣｅｌｌ上でのみサポートすることができる。例えば、ＰＣｅｌｌのＵＬ  ＣＣは、物理ＵＬ制御チャネルリソースが、与えられたＷＴＲＵのためのすべてのＨＡＲＱ肯定応答／否定応答（ＡＣＫ／ＮＡＣＫ）フィードバックを搬送するように構成される、ＣＣに対応に対応することができる。例えば、ＬＴＥでは、ＷＴＲＵは、セキュリティ機能についてのパラメータ、および非アクセス層（ＮＡＳ）モビリティ情報などの上位レイヤＳＩについてのパラメータを導出するために、ＰＣｅｌｌを使用することができる。ＰＣｅｌｌ  ＤＬ上でのみサポートできる他の機能は、ブロードキャストチャネル（ＢＣＣＨ）上でのＳＩ獲得および変化監視手順、ならびに一斉呼出を含むことができる。例えば、ＷＣＤＭＡのＰＣｅｌｌは、ＬＴＥのＰＣｅｌｌと同様とすることができる。セカンダリセル（ＳＣｅｌｌ）は、例えば、ＲＲＣ接続が確立された後に構成でき、追加の無線リソースを提供するために使用できる、セカンダリ周波数上で動作するセルを含むことができる。関連するＳＣｅｌｌにおける動作に関連するＳＩは、ＳＣｅｌｌがＷＴＲＵの構成に追加されるときに、専用シグナリングを使用して提供することができる。パラメータは、ＳＩシグナリングを使用して関連するＳＣｅｌｌのＤＬ上でブロードキャストされるそれらとは異なる値を有することがあるが、この情報は、この情報を獲得するためにＷＴＲＵによって使用される方法とは無関係に、関連するＳＣｅｌｌのＳＩと呼ばれることがある。
【００５７】
プライマリＲＡＴ（ＰＲＡＴ）（またはアンカＲＡＴ）は、無線アクセスネットワーク技術を含むことができる。少なくとも１つのサービングセルは、ＰＲＡＴのためのＰＣｅｌｌとして構成することができる。ＰＣｅｌｌは、第１のＲＲＣ接続を確立すること、（例えば、単一のセキュリティコンテキストが使用される場合）セキュリティパラメータを導出すること、（例えば、ＵＣＩが第１のＲＡＴのサービングセル上でのみ送信される場合）ＵＬ制御情報（ＵＣＩ）を送信するためにＵＬリソースを使用すること、および／または（例えば、ＵＬリソースが第１のＲＡＴにおいてのみ構成される場合）ＵＬリソースを用いて少なくとも１つのサービングセルを構成することのうちの少なくとも１つをサポートすることができる。結果として、いくつかの実施形態では、ＰＲＡＴまたはアンカＲＡＴは、第１のＲＡＴと呼ばれることがある。セカンダリＲＡＴ（ＳＲＡＴ）（または非アンカＲＡＴ）は、それのために構成されたサービングセルのいずれもが、ＷＴＲＵの構成のＰＲＡＴのためのものではないＲＡＴを含むことができる。
【００５８】
一実施形態では、ＷＴＲＵは、ＬＴＥセルにアクセスし、対応するＲＲＣ接続確立手順を使用して、ＰＲＡＴとしてＬＴＥを用いるＲＲＣ接続３０６を確立することができる。ＷＴＲＵは、ＰＲＡＴのＲＲＣ接続再構成手順を使用して、ＳＲＡＴとして、１つまたは複数のＨＳＰＡサービングセルを含むことができる、追加のサービングセルを用いるように構成することができる。一実施形態では、ＲＲＣ接続再構成手順は、セキュリティがＰＲＡＴにおいてアクティブ化された後にのみ実行することができる。さらに、一実施形態では、ＷＴＲＵは、ＲＲＣ再構成手順中に、ＨＳＰＡ構成に関する１つまたは複数のＩＥ（例えば、ＳＩ構成ＩＥ、無線ベアラＩＥ、トランスポートチャネルＩＥ、および物理チャネルＩＥ）を含むＲＲＣメッセージを受け取ることができる。
【００５９】
別の実施形態では、ＷＴＲＵは、ＨＳＰＡセルにアクセスし、対応するＲＲＣ接続確立手順を使用して、ＰＲＡＴとしてＨＳＰＡを用いるＲＲＣ接続３０６を確立することができる。ＷＴＲＵは、ＰＲＡＴのＲＲＣ接続再構成手順を使用して、ＳＲＡＴとして追加のサービングセル（例えば、１つまたは複数のＬＴＥサービングセル）を用いるように構成することができる。一実施形態では、ＷＴＲＵは、ＰＲＡＴのＲＲＣ無線ベアラセットアップ手順を使用して、ＰＲＡＴ固有の情報を構成するように構成することができ、同時にＳＲＡＴサービングセルを用いるようにＷＴＲＵを構成することができる。あるいは、ＷＴＲＵは、ＰＲＡＴのシグナリング無線ベアラ（ＳＲＢ）を使用して、ＲＲＣ接続セットアップにおいて、ＳＲＡＴを用いるように構成することができる。一実施形態では、ＲＲＣ接続再構成手順は、セキュリティがＰＲＡＴにおいてアクティブ化された後にのみ実行することができる。さらに、一実施形態では、ＷＴＲＵは、ＲＲＣ再構成手順中に、ＬＴＥ構成に関する１つまたは複数のＩＥ（例えば、サービングセルのＤＬ構成のための、ＭＡＣ−ＭａｉｎＣｏｎｆｉｇ  ＩＥ、ＣＱＩ−ＲｅｐｏｒｔＣｏｎｆｉｇ  ＩＥ、ＰＤＳＣＨ−Ｃｏｎｆｉｇ  ＩＥ、ＰｈｙｓｉｃａｌＣｏｎｆｉｇＤｅｄｉｃａｔｅｄ  ＩＥ、ＲａｄｉｏＲｅｓｏｕｒｃｅＣｏｎｆｉｇＤｅｄｉｃａｔｅｄ  ＩＥ、および／またはＲａｄｉｏＣｏｎｆｉｇＣｏｍｍｏｎ  ＩＥのうちの少なくとも１つ、および／またはサービングセルのＵＬ構成のための、ＰＵＳＣＨ−Ｃｏｎｆｉｇ  ＩＥ、および／またはＳｏｕｎｄｉｎｇＲＳ−ＵＬ−Ｃｏｎｆｉｇ  ＩＥのうちの少なくとも１つを含むことができる、ＳＩ構成ＩＥおよび／またはＲＲＣ  ＩＥ）を含むＲＲＣメッセージを受け取ることができる。
【００６０】
ＳＲＢは、ＲＲＣおよびＮＡＳメッセージの送信のためにのみ使用される、無線ベアラである。ＳＲＢ０は、共通制御チャネル（ＣＣＨ）論理チャネルを使用するＲＲＣメッセージのために使用される。ＳＲＢ１は、（例えば、ピギーバックされるＮＡＳメッセージを伴った）ＲＲＣメッセージのためのもの、および個別制御チャネル（ＤＣＣＨ）論理チャネルを使用するＳＲＢ２の確立前における、ＮＡＳメッセージのためのものである。ＳＲＢ２は、ＮＡＳメッセージのためのものであり、セキュリティのアクティブ化の後は常に構成されている。セキュリティがアクティブ化された後、ＳＲＢ１およびＳＲＢ２上のすべてのＲＲＣメッセージは、インテグリティ保護および暗号化を行うことができる。
【００６１】
異なるＲＡＴのＣＣ（またはサービングセル）がアグリゲートされ、与えられたＷＴＲＵのために構成される場合、そのために、無線リソース接続の管理を扱うための方法を有することが必要になり得る。特に、マルチＲＡＴアクセスのために、（例えば、ＷＴＲＵが動作するＲＡＴ当たり１つの）複数のＲＲＣ接続および／または状態機械（ＳＭ）を使用できる場合、各ＲＲＣ接続およびそれらの間で起こり得る対話を適切に扱うことを可能にするための方法を定義することが望ましいことがある。あるいは、マルチＲＡＴアクセスのために、単一のＲＲＣ接続および／または状態機械しか使用できない場合、単一のＲＲＣ状態機械がそれによって複数の無線リソースを制御できる方法を定義することが望ましいことがある。
【００６２】
図５は、構成された各ＲＡＴのためのＲＲＣインスタンスと、各ＲＲＣインスタンスのための状態機械と、ＷＴＲＵ当たり１つのＲＲＣ接続とを使用する、マルチＲＡＴ動作のための例示的なコントロールプレーン５００のブロック図である。より具体的には、示された例は、ＰＲＡＴのためのＲＲＣインスタンス５０２と、ＰＲＡＴのための状態機械５０４と、ＳＲＡＴのためのＲＲＣインスタンス５０８と、ＳＲＡＴのための状態機械５０６と、単一のＲＲＣ接続５１０と、１つまたは複数のＳＲＢ５１２とを含む。図５に示される例では、複数のＲＡＴ（例えば、ＰＲＡＴおよびＳＲＡＴ）のための無線リソースは、複数のＲＲＣインスタンス（例えば、構成されたＲＡＴ当たり１つのコントロールプレーンのインスタンス）を使用して管理することができる。
【００６３】
一実施形態では、ＳＲＡＴのためのＲＲＣインスタンス５０８は、関連するＲＡＴのためのＲＲＣプロトコルのサブセットを含む。例えば、ＳＲＡＴのためのＲＲＣインスタンス５０８は、対応するＲＡＴのための少なくともいくつかの無線リソース管理機能（例えば、周波数内および周波数間測定構成および報告、無線リンク監視（ＲＬＭ：ｒａｄｉｏ  ｌｉｎｋ  ｍｏｎｉｔｏｒｉｎｇ）、ＳＩ維持、ならびにエラー処理）を扱うことができる。一実施形態では、各ＳＲＡＴのためのＲＲＣインスタンス５０８は、ＰＲＡＴのためのＲＲＣインスタンス５０２と対話することができる。示された実施形態では、ＲＲＣインスタンス５０２は、単一のＲＲＣ接続５１０を管理し、それは、少なくとも１つのＲＡＴの無線リソース管理を扱うために使用することができる。追加の構成された各ＲＡＴのための追加のＲＲＣインスタンス（例えば、ＳＲＡＴのためのＲＲＣインスタンス５０８）も存在し、それは、関連するＲＡＴ（ＳＲＡＴ）のためのＲＲＣプロトコルのサブセットを含むことができる。
【００６４】
ＬＴＥサービングセルの場合、ＷＴＲＵは、ＲＬＭを実行し、ランダムアクセス手順のためのプリアンブル送信の最大回数、および／または関連するサービングセル上でランダムアクセス手順を実行する際に繰り返せる失敗の最大回数に達する場合、ＵＬ無線リンク障害（ＲＬＦ：ｒａｄｉｏ  ｌｉｎｋ  ｆａｉｌｕｒｅ）と判定することができる。さらに、ＬＴＥサービングセルの場合、ＷＴＲＵは、ＲＲＣインスタンスが、物理（ＰＨＹ）レイヤから数Ｎ３１０に相当する個数の連続した同期外れ表示を受け取り、その後、タイマＴ３１０が、タイマを始動させたエラー状態からＷＴＲＵが回復しないうちに満了する場合、ＤＬ  ＲＬＦと判定することができる。
【００６５】
図６は、図５に示された実施形態に対応するマルチＲＡＴ動作のために構成されたＷＴＲＵにおいてワイヤレス通信を実行する例示的な方法のフロー図６００である。図６に示される例では、ＷＴＲＵは、最初に、ネットワークにアクセスし、第１のＲＲＣインスタンス（ＰＲＡＴのためのＲＲＣインスタンス５０２）を使用して、第１のＲＡＴ（例えば、ＰＲＡＴ）においてＲＲＣ接続５１０を確立することができる（６０２）。その後、ＷＴＲＵは、ＲＲＣ接続５１０上で、第２のＲＡＴ（例えば、ＳＲＡＴ）の少なくとも１つのサービングセルを追加する構成を受け取ることができる（６０４）。その後、ＷＴＲＵは、（例えば、異なるＳＲＢ上で受け取った）ＲＲＣ  ＰＤＵ、および／またはＲＲＣ接続５１０上で受け取った構成情報を使用して、ＳＲＡＴの無線リソースを構成できる、第２のＲＲＣインスタンス（ＳＲＡＴのためのＲＲＣインスタンス５０８）を使用することができる（６０６）。一実施形態では、第２のＲＲＣインスタンス５０８は、最初は、ＲＲＣ接続モード（例えば、ＬＴＥ  ＣＯＮＮＥＣＴＥＤまたはＨＳＰＡ  ＣＥＬＬ＿ＤＣＨ）に従って動作することができる。ＳＲＡＴのためのＲＲＣインスタンスの状態は、アクティブではないことがあり、またはＲＲＣ接続モードは、ＰＲＡＴによって開始することができる。
【００６６】
例えば、ＷＴＲＵは、ＬＴＥセルにアクセスし、対応するＲＲＣ接続確立手順を使用して、ＰＲＡＴとしてＬＴＥを用いるＲＲＣ接続を確立することができる。ＷＴＲＵは、ＳＲＡＴとして、例えば１つまたは複数のＨＳＰＡサービングセルを含む、追加のサービングセルを用いるように構成することができる。一実施形態では、構成手順は、セキュリティがＰＲＡＴにおいてアクティブ化された後にのみ実行することができる。
【００６７】
一実施形態では、構成は、ＰＲＡＴのＲＲＣ接続再構成手順を介して受け取ることができる。一実施形態では、ＷＴＲＵは、ＲＲＣ再構成手順中に、例えば、ＳＩ構成ＩＥ、無線ベアラＩＥ、トランスポートチャネルＩＥ、物理チャネルＩＥ、およびセカンダリサービングＨＳ−ＤＳＣＨ  ＩＥのうちの少なくとも１つを含むことができる、ＨＳＰＡ構成に関する１つまたは複数のＩＥを含むＲＲＣメッセージを受け取ることができる。一実施形態では、ＰＲＡＴのＲＲＣインスタンスは、受け取ったＳＲＡＴの構成情報を、ＳＲＡＴの対応する無線リソースを構成できる、対応するＳＲＡＴのＲＲＣインスタンスに転送することができる。
【００６８】
別の実施形態では、構成は、ＳＲＡＴのＲＲＣインスタンス５０８と関連するように構成されたＳＲＢ上で受け取ることができる。一実施形態では、ＷＴＲＵは、ＳＲＢ上でＳＲＡＴのＲＲＣプロトコルのＲＲＣ  ＰＤＵを受け取ることができる。一実施形態では、ＲＲＣメッセージは、例えば、ＳＩ構成ＩＥ、無線ベアラＩＥ、トランスポートチャネルＩＥ、および物理チャネルＩＥのうちの少なくとも１つを含むことができる、ＨＳＰＡ構成に関する１つまたは複数のＩＥを含むことができる。一実施形態では、ＳＲＡＴのＲＲＣインスタンスは、無線ベアラ制御手順および物理チャネル構成手順など、対応する構成手順を実行することができる。
【００６９】
例えば、ＷＴＲＵは、ＨＳＰＡセルにアクセスし、対応するＲＲＣ接続確立手順を使用して、ＰＲＡＴとしてＨＳＰＡを用いるＲＲＣ接続３０６を確立することができる。ＷＴＲＵは、ＳＲＡＴとして、例えば１つまたは複数のＬＴＥサービングセルを含むことができる、追加のサービングセルを用いるように構成することができる。一実施形態では、この構成手順は、セキュリティがＰＲＡＴにおいてアクティブ化された後にのみ実行することができる。
【００７０】
一実施形態では、構成は、ＰＲＡＴのＲＲＣ接続再構成手順を介して受け取ることができる。一実施形態では、ＷＴＲＵは、例えば、ＳＩ構成ＩＥ、（サービングセルのＤＬ構成のための、ＭＡＣ−ＭａｉｎＣｏｎｆｉｇ  ＩＥ、ＣＱＩ−ＲｅｐｏｒｔＣｏｎｆｉｇ  ＩＥ、ＰＤＳＣＨ−Ｃｏｎｆｉｇ  ＩＥ、ＰｈｙｓｉｃａｌＣｏｎｆｉｇＤｅｄｉｃａｔｅｄ  ＩＥ、ＲａｄｉｏＲｅｓｏｕｒｃｅＣｏｎｆｉｇＤｅｄｉｃａｔｅｄ  ＩＥ、およびＲａｄｉｏＣｏｎｆｉｇＣｏｍｍｏｎ  ＩＥのうちの少なくとも１つを含むことができ、かつサービングセルのＵＬ構成のための、ＰＵＳＣＨ−Ｃｏｎｆｉｇ  ＩＥ、およびＳｏｕｎｄｉｎｇＲＳ−  ＵＬ−Ｃｏｎｆｉｇ  ＩＥのうちの少なくとも１つを含むこともできる）ＲＲＣ  ＩＥのうちの少なくとも１つを含むことができる、ＬＴＥ構成に関する１つまたは複数のＩＥを含むＲＲＣメッセージを受け取ることができる。一実施形態では、ＰＲＡＴのＲＲＣインスタンス５０２は、ＳＲＡＴの受け取った構成情報を、ＳＲＡＴの対応する無線リソースを構成できる、対応するＳＲＡＴのＲＲＣインスタンスに転送することができる。
【００７１】
別の実施形態では、構成は、ＳＲＡＴのＲＲＣインスタンス５０８と関連するように構成されたＳＲＢ上で受け取ることができる。一実施形態では、ＷＴＲＵは、ＳＲＢ上でＳＲＡＴのＲＲＣプロトコルのＲＲＣ  ＰＤＵを受け取ることができる。一実施形態では、ＲＲＣメッセージは、例えば、ＳＩ構成ＩＥ、（サービングセルのＤＬ構成のための、ＭＡＣ−ＭａｉｎＣｏｎｆｉｇ  ＩＥ、ＣＱＩ−ＲｅｐｏｒｔＣｏｎｆｉｇ  ＩＥ、ＰＤＳＣＨ−Ｃｏｎｆｉｇ  ＩＥ、ＰｈｙｓｉｃａｌＣｏｎｆｉｇＤｅｄｉｃａｔｅｄ  ＩＥ、ＲａｄｉｏＲｅｓｏｕｒｃｅＣｏｎｆｉｇＤｅｄｉｃａｔｅｄ  ＩＥ、およびＲａｄｉｏＣｏｎｆｉｇＣｏｍｍｏｎ  ＩＥのうちの少なくとも１つ、およびサービングセルのＵＬ構成のための、ＰＵＳＣＨ−Ｃｏｎｆｉｇ  ＩＥ、およびＳｏｕｎｄｉｎｇＲＳ−  ＵＬ−Ｃｏｎｆｉｇ  ＩＥのうちの少なくとも１つを含む）無線リソース制御ＩＥのうちの少なくとも１つを含むことができる、ＬＴＥ構成に関する１つまたは複数のＩＥを含むことができる。一実施形態では、ＳＲＡＴのＲＲＣインスタンスは、無線リソース構成手順など、対応するＲＲＣ再構成手順を実行することができる。
【００７２】
図７は、構成された各ＲＡＴのためのＲＲＣインスタンスと、各ＲＲＣインスタンスのための状態機械と、構成された各ＲＡＴのためのＲＲＣ接続とを使用する、マルチＲＡＴ動作のための例示的なコントロールプレーン７００のブロック図である。より具体的には、示された例は、ＰＲＡＴのためのＲＲＣインスタンス７０２と、ＰＲＡＴのための状態機械７０４と、ＳＲＡＴのためのＲＲＣインスタンス７０８と、ＳＲＡＴのための状態機械７０６と、ＰＲＡＴのためのＲＲＣ接続７１０と、ＳＲＡＴのためのＲＲＣ接続７１２と、１つまたは複数のＳＲＢ７１４とを含む。図７に示される例では、複数のＲＡＴ（例えば、ＰＲＡＴおよびＳＲＡＴ）のための無線リソースは、複数のＲＲＣインスタンス（例えば、構成されたＲＡＴ当たり１つのコントロールプレーンのインスタンス）を使用して管理することができる。
【００７３】
図８は、図７に示された実施形態に対応するマルチＲＡＴ動作のために構成されたＷＴＲＵにおいてワイヤレス通信を実行する例示的な方法のフロー図８００である。図８に示される例では、ＷＴＲＵは、第１のＲＲＣインスタンス７０２を使用して、第１のＲＡＴ（例えば、ＰＲＡＴ）において第１のＲＲＣ接続７１０を確立することができる（８０２）。ＷＴＲＵは、第２のＲＲＣインスタンス７０８を使用して、第２のＲＡＴ（例えば、ＳＲＡＴ）において第２のＲＲＣ接続７１２を確立することもできる（８０４）。
【００７４】
図７に示される実施形態では、各ＲＲＣインスタンス７０２、７０８は、関連するＲＡＴの構成されたそれぞれのサービングセルのために、１つのＲＲＣ接続７１０、７１２を管理する。
【００７５】
一実施形態では、ＲＲＣ接続７１０、７１２は、任意の数の異なる方法に従って確立することができる。一実施形態では、ＷＴＲＵは、既存のＲＲＣ接続上でネットワークからＲＲＣシグナリングを受け取ることができる。ＲＲＣシグナリングは、例えば、ＳＲＡＴへの追加のＲＲＣ接続を確立するよう求める要求、関連するセルを一意的に識別するためのパラメータ（例えば、周波数（ＤＬおよびＵＬ）、セル識別情報、およびＳＩ）を含むことができる。別の実施形態では、ＷＴＲＵは、既存のＲＲＣ接続上でネットワークから、ＳＲＡＴのための少なくとも１つのサービングセルを追加する旨のＲＲＣ再構成メッセージを受け取ることができる。ＲＲＣ再構成メッセージは、例えば、関連するセルを一意的に識別するためのパラメータ（例えば、周波数（ＤＬおよびＵＬ）、セル識別情報、およびＳＩ）を含むことができる。別の実施形態では、新しいアプリケーションのために、パケットデータプロトコル（ＰＤＰ）コンテキストが確立されるとき、ＷＴＲＵは、ＳＲＡＴへの追加のＲＲＣ接続を確立するよう求める要求を受け取ることができる。別の実施形態では、ＷＴＲＵは、第１のＲＡＴにすでに接続しているときに、第２のＲＡＴのセルへのアクセスを自律的に開始することができる。この実施形態は、例えば、ＷＴＲＵが２つの独立したＲＲＣインスタンスを使用してマルチＲＡＴアクセスをサポートする場合に、使用することができる。
【００７６】
ＷＴＲＵは、ＷＴＲＵがアイドルモードにあるＲＲＣインスタンスを用いてセルにキャンプオンしているときに、例えば、ＲＡＴ上で一斉呼出メッセージを受信したことに応答して、第２のＲＡＴのセルへのアクセスを自律的に開始することができる。あるいは、ＷＴＲＵは、アプリケーションがサービスを要求しているとそれが判定するならば、セカンダリＲＡＴのセルへのアクセスを自律的に開始することができる。例えば、ＷＴＲＵがＣＳ呼を開始することを望んでいる場合、そしてそれがマルチＲＡＴ対応のＷＴＲＵであるとそれが判定する場合、それは、セカンダリＲＡＴにおいてセルへのアクセスを開始することができ、一実施形態では、ＲＲＣ接続確立において理由を示すことができる。別の実施形態では、ＷＴＲＵは、（例えば、ＷＴＲＵ固有のトリガに続いて）それがＳＲＡＴのセットアップを開始できることを知らせる要求をＰＲＡＴ上でネットワークに送ることができる。ＷＴＲＵは、例えば、あるサービス要求を受け取ったことに応答して、ネットワークに要求を送ることができ、一実施形態では、ＰＲＡＴ上で送られるＲＲＣメッセージにおいて理由を示すことができる。この実施形態では、ＷＴＲＵは、ＳＲＡＴ  ＲＲＣ接続をインスタンス化するために、ネットワークからの明示的なセットアップメッセージを待つことができる。
【００７７】
一実施形態では、ＲＲＣインスタンス７０２とＲＲＣインスタンス７０８との間に対話が存在しないことがある。例えば、これは、ＮＡＳ手順を使用して構成できるマルチホームＩＰデバイスとしてマルチモードＷＴＲＵが動作する場合に（例えば、ネットワーク接続性の観点から見て、各ＲＡＴが異なるＩＰインタフェースに対応し得る場合に）当てはまり得る。より具体的には、ＷＴＲＵは、ネットワークからは、２つの異なるＩＰネットワークインタフェースを実施する単一のデバイスに見え、一実施形態では、各々は、独自のＰＤＰコンテキスト（すなわちＩＰアドレス）、制御／ユーザデータ経路、およびセキュリティコンテキストを有する。各ＲＲＣ接続のためのＲＲＭ、モビリティ管理、スケジューリング、およびアドミッション制御は、互いに独立とすることができる。
【００７８】
別の実施形態では、ＲＲＣインスタンス７０２とＲＲＣインスタンス７０８との間に追加の対話が存在することがある。例えば、第１のＲＲＣ接続（例えば７１０）上のＲＲＣメッセージは、アイドルモード状態に入ること、キャンプオン（または代替として、ＲＲＣメッセージにおいて示された周波数のセルにキャンプオン）し、ＳＩを獲得し、一斉呼出チャネルを監視し、ＳＲＡＴへのアクセスを実行するために適切なセルを決定するセル選択手順を実行することの少なくとも一方をＷＴＲＵがそれによって実行できる手順を、ＷＴＲＵによって開始することができる。あるいは、それは、セル選択手順を使用してＷＴＲＵによって選択されたセルへの初期アクセスを、または代替として、ＲＲＣメッセージにおいて示された周波数のセルへの初期アクセスを、直ちに実行することができる。
【００７９】
一実施形態では、パラメータは、交換することができ、または複数のＲＲＣインスタンスで共通とすることができ、セキュリティパラメータ、（ＰＤＰコンテキストを含む）ＮＡＳ構成、および（単一のデータ経路が使用される場合は）ユーザプレーンパラメータのうちの少なくとも１つを含む。例えば、ネットワーク接続性の観点から見て、ＷＴＲＵは、依然として、単一のＰＤＰコンテキスト（すなわちＩＰアドレス）、単一のデータ経路、および単一のセキュリティコンテキストを用いて、単一のＩＰネットワークインタフェースを実施する、単一のデバイスに見える。必要なパラメータは、すべてのＲＲＣインスタンスに共通とすることができ、例えば、ＰＲＡＴ接続および／または初期ＮＡＳ構成から獲得することができる。一実施形態では、各ＲＲＣ接続のためのＲＲＭおよびモビリティ管理は、互いに独立して構成することができる。あるいは、モビリティは、ＰＲＡＴ接続（例えば７１０）に基づくことができる。
【００８０】
一実施形態では、ＷＴＲＵは、ＰＲＡＴのためにゼロまたはより多くのＳＣｅｌｌを用いるように構成することができる。
【００８１】
コントロールプレーンが、無線リソース管理のために、構成されたＲＡＴ毎に別々のＲＲＣインスタンスを含む、図５〜図８に関して説明された実施形態の場合、異なるＲＲＣインスタンスは、例えば、セキュリティ構成、セキュリティアクティブ化、セキュリティ障害、障害処理、ＲＲＣ接続の再構成、ＲＬＭ、エラー回復、状態遷移、トランザクションのアイドルモードへの復帰、およびＰＵＣＣＨ／ＳＲＳ解放要求時のアクションのために、数々の異なる方法のいずれか１つを使用して、互いに対話することができる。
【００８２】
セキュリティ構成、アクティブ化、および障害に関して、ＷＴＲＵは、それがＳＲＡＴのための第１のサービングセルを追加する場合、第２のＲＲＣインスタンスを使用することができる。一実施形態では、セキュリティが別のＲＲＣインスタンスのためにアクティブ化されているならば、ＷＴＲＵは、セキュリティが第２のＲＲＣインスタンスのためにすでにアクティブ化されていると見なし、適用可能な場合は、同じ構成をアクセス層のためのインテグリティ保護および暗号化に適用することができる。
【００８３】
障害処理に関して、ＷＴＲＵは、それが処理に失敗した可能性のあるＳＲＡＴのＲＲＣインスタンスについてのコントロールプレーン情報（例えば、ＲＲＣ  ＰＤＵまたはＩＥ）を受け取ることができる。ＷＴＲＵは、それが処理に失敗したＳＲＡＴのＲＲＣインスタンスについてのコントロールプレーン情報を受け取るならば、構成が失敗したことをネットワークに知らせ、関連するＳＲＡＴのサービングセル上で進行中のいずれの送信も一時中断し、ＳＲＡＴのすべてのサービングセルのための構成を無効化し、ＳＲＡＴのすべてのサービングセルのための構成を削除し、構成が失敗したことをネットワークに知らせ、かつ／またはセカンダリＲＡＴ  ＲＲＣインスタンスまたはセカンダリＲＡＴ  ＲＲＣ接続を終了させることができる。ＷＴＲＵが、ＳＲＡＴの少なくとも１つのサービングセルのための構成の少なくとも一部を追加、変更、または削除する旨の構成メッセージを受け取るならば、ＷＴＲＵは、関連する構成の適用に成功しないことがある。この場合、ＷＴＲＵは、関連するサービングセルの構成を無効化し、関連するサービングセルの構成を削除し、ＳＲＡＴのすべてのサービングセルのための構成を無効化し、ＳＲＡＴのすべてのサービングセルのための構成を削除し、構成が失敗したことをネットワークに知らせ、かつ／またはＳＲＡＴ  ＲＲＣインスタンスまたはセカンダリＲＡＴ接続を終了させることができる。これらの失敗はいずれも、ＰＲＡＴのためのＲＲＣ接続の動作および／または構成には影響し得ない。
【００８４】
ＲＲＣ接続の再構成に関して、ＷＴＲＵは、構成されたＵＬリソースを用いる第１のＬＴＥサービングセルのための構成を追加する旨の無線リソース再構成メッセージを受け取ることができる。その後、ＷＴＲＵは、ＵＬタイミング同期を獲得するための手順（例えば、セルのＵＬ  ＰＲＡＣＨリソース上でのランダムアクセス手順）を開始することができる。一実施形態では、ＷＴＲＵは、構成されたＵＬリソースを用いる少なくとも１つのＬＴＥサービングセルを用いる構成を含むことができる、ハンドオーバコマンドを受け取ることができる。この実施形態では、ＨＳＰＡターゲットセルへのアクセスを開始するのに加えて、ＷＴＲＵは、ＵＬタイミング同期を獲得するための手順（例えば、ＬＴＥターゲットセルのＵＬ  ＰＲＡＣＨリソース上でのランダムアクセス手順）も開始することができる。
【００８５】
ＲＬＭに関して、ＷＴＲＵは、ＳＲＡＴの構成されたサービングセルのためのＲＬＭを実行することができる。一実施形態では、ＷＴＲＵは、例えば、対応するＲＡＴのサービングセルのＲＬＦについての基準に従って、それがＲＬＦを被っていると判定することができる。ＷＴＲＵは、第１のＲＡＴのサービングセルについてＲＬＦ（ＤＬまたはＵＬ）であると判定する場合、第１のＲＡＴのすべてのサービングセルのための構成を削除し、第１のＲＡＴのための無線フロントエンドをオフにし、かつ／または関連するサービングセルのＲＬＦ状態をネットワークに知らせることができる。一実施形態では、第１のＲＡＴのＲＲＣインスタンスは、第２のＲＡＴのＲＲＣインスタンスにＵＬ  ＲＬＦ状態を知らせることができる。
【００８６】
状態遷移および関連する手順に関して、第１のＲＲＣインスタンスにおけるＲＲＣ状態の変化は、第２のＲＲＣインスタンスにおける状態の変化および／または手順をトリガすることができる。例えば、第１のＲＲＣインスタンスにおける状態遷移は、第２のＲＲＣインスタンスにおける状態遷移、第２のＲＲＣインスタンスにおけるＲＲＣ接続の解放をトリガすることができ、かつ／またはＷＴＲＵは、第２のＲＲＣインスタンスに対応する第２のＲＡＴのための無線フロントエンドをオフにすることができる。一実施形態では、ＣＥＬＬ＿ＤＣＨからＨＳＰＡ  ＲＲＣインスタンスのための他の任意の状態へのＲＲＣ状態遷移は、ＲＲＣ＿ＩＤＬＥへの状態遷移を実行し、ＲＲＣ  ＬＴＥ接続を解放し、かつ／またはＬＴＥフロントエンドをオフにするために、ＬＴＥ  ＲＲＣインスタンスをトリガすることができる。例えば、ＨＳＰＡがＰＲＡＴである場合、ＬＴＥは、ＳＲＡＴとすることができ、ＬＴＥ  ＲＡＴのために、ＵＬリソースが構成されないことがある。別の実施形態では、第１のＲＡＴにおけるアイドルモードへのＲＲＣ状態遷移は、構成された各ＳＲＡＴのＲＲＣインスタンスについてのアイドルモードへの状態遷移をトリガすることができ、または代替として、例えば、ＲＲＣ接続を解放すること、および／または構成された各ＳＲＡＴのフロントエンドをオフにすることをトリガすることができる。ＨＳＰＡがＰＲＡＴである場合、ＬＴＥは、ＳＲＡＴとすることができ、ＨＳＰＡ  ＲＲＣインスタンスのみが、セル再選択手順を実行することができる。
【００８７】
別の例として、第２のＲＲＣインスタンスにおける状態遷移は、第１のＲＲＣインスタンスの状態に応じて、許可されないことがある。一実施形態では、別のＲＲＣインスタンスの現在の状態に基づいて、ＳＲＡＴのためのＲＲＣインスタンスにおいて、ＲＲＣ状態が許可されないことがある。特に、ＬＴＥ  ＲＲＣインスタンスがＲＲＣ＿ＣＯＮＮＥＣＴＥＤ状態にある場合、ＷＴＲＵは、ＨＳＰＡ  ＲＲＣインスタンスのためのＣＥＬＬ−ＦＡＣＨ状態またはＣＥＬＬ＿ＰＣＨ状態に遷移することができない。
【００８８】
別の例として、第２のＲＲＣインスタンスの動作状態は、第１のＲＲＣインスタンスの状態に追随することがある。一実施形態では、ＬＴＥ  ＰＲＡＴのＲＲＣインスタンスの状態がＲＲＣ＿ＣＯＮＮＥＣＴＥＤである場合、ＨＳＰＡ  ＳＲＡＴのＲＲＣインスタンスの初期状態は、ＣＥＬＬ＿ＤＣＨとすることができる。
【００８９】
アイドルモードに復帰する遷移に関して、ＷＴＲＵのＰＲＡＴであるＲＲＣ接続についてのＲＲＣアイドルへの遷移は、他のＲＲＣ接続の解放、および／または別のＲＲＣインスタンスについてのＲＲＣ  ＩＤＬＥへの移行をトリガすることができる（例えば、すべてのＲＡＴ、またはネットワークに接続されていないときにＷＴＲＵがＩＤＬＥモードにあるべきＲＡＴのみ）。ＰＲＡＴのＲＲＣインスタンスは、ＳＲＡＴのための別のＲＲＣインスタンスに、ＩＤＬＥへの状態の変化を通知することができる。その後、ＳＲＡＴのためのＲＲＣインスタンスは、ＩＤＬＥモードに移行し、ＳＲＡＴのための専用構成を削除し、デフォルト構成に復帰し、ならびに／またはＳＲＡＴのトランシーバモジュールおよび／または何らかの機能をアクティブ化かつ／もしくはオフにするための手順を実行することができる。
【００９０】
ＰＵＣＣＨ／ＳＲＳ解放要求時のアクションに関して、ＰＲＡＴ  ＬＴＥ  ＲＲＣインスタンスは、ＰＵＣＣＨ／ＳＲＳ専用リソースを解放するための表示を下位レイヤ（例えば、ＬＴＥ  ＭＡＣ）から受け取ることができる。これは、例えば、スケジューリング要求（ＳＲ）のための構成されたＰＵＣＣＨリソース上でのＳＲ送信が最大回数に達すると、またはタイミングアライメントタイマ（ＴＡＴ：ｔｉｍｉｎｇ  ａｌｉｇｎｍｅｎｔ  ｔｉｍｅｒ）が満了する場合に起こり得る。ＴＡＴが満了する場合、ＷＴＲＵは、もはや有効なタイミングアドバンス（ｔｉｍｉｎｇ  ａｄｖａｎｃｅ）を有さず、もはやＵＬ送信について同期していない。この場合、ＰＲＡＴのＲＲＣインスタンスは、ＰＲＡＴにおけるＵＬ同期の喪失を、ＳＲＡＴのＲＲＣインスタンスに知らせることができる。
【００９１】
構成されたすべてのＲＡＴに対して単一のＲＲＣ接続を使用する実施形態（例えば、図３、図４、図５、および図６に関して上で説明した実施形態）の場合、ＷＴＲＵは、例えば、ＰＲＡＴのＲＲＣ  ＰＤＵ内にピギーバックされたＳＲＡＴ  ＩＥを介して、ＲＲＣメッセージ、およびＳＲＡＴに関する構成パラメータを受け取ることができる。この実施形態では、ＷＴＲＵは、単一のＲＲＣ接続のＲＲＣ  ＰＤＵ内にＲＡＴ固有のＩＥを多重化および／または逆多重化し、ＲＲＣ  ＰＤＵ内の明示的な識別子（例えば、ＲＲＣ状態機械またはＳＲＡＴの識別情報）を使用してＩＥを識別することができる。
【００９２】
一実施形態では、ＰＲＡＴのＲＲＣメッセージは、ＳＲＡＴコンテナＩＥを含むことができる。ＳＲＡＴコンテナＩＥは、ＳＲＡＴのＲＲＣに従って処理できる、ＳＲＡＴについての情報を含むことができる。例えば、ＰＲＡＴがＬＴＥである場合、ｕｔｒａ−Ｓｅｃｏｎｄａｒｙｃｅｌｌ−Ｃｏｎｔａｉｎｅｒ  ＩＥを含むことによって、ＨＳＰＡ  ＳＲＡＴを確立することができる。一実施形態では、このＩＥの存在は、セカンダリＲＡＴの開始をトリガすることができる。
【００９３】
２つ以上のＳＲＡＴを確立できる場合、ＳＲＡＴタイプＩＥおよびＳＲＡＴメッセージコンテナＩＥを使用することができる。ＳＲＡＴメッセージコンテナＩＥは、ＳＲＡＴタイプＩＥによって示される別の規格で仕様が定められたメッセージを搬送することができる。このコンテナは、構成されるＳＲＡＴのために必要な情報および無線パラメータを搬送することができる。
【００９４】
例えば、ＷＴＲＵは、与えられたＲＡＴのために構成されたセルの各グループが、そのＲＡＴの識別情報に関連付けられるように、構成することができる。ＷＴＲＵは、ＲＲＣ  ＰＤＵを受け取る場合、ＩＥがどのＲＡＴに関連付けられているかを決定し、例えば、適用可能なＲＡＴに従ってＲＲＣ  ＰＤＵを処理することができる。同様に、ＷＴＲＵは、ＲＲＣ  ＰＤＵ内に１つまたは複数の情報要素を含むＲＲＣ  ＰＤＵを送信することができる。高々２つのＲＡＴがサポートされる場合、これは、ＰＤＵ内におけるＩＥ自体の存在によって、暗黙的に決定することができる。
【００９５】
構成された各ＲＡＴに対して別々のＲＲＣインスタンスを使用する実施形態（例えば、図５、図６、図７、および図８に関して上で説明した実施形態）の場合、ＷＴＲＵは、例えば、異なるＳＲＢ識別子（ＳＲＢ＿ＩＤ）を使用して、ＰＲＡＴおよびＳＲＡＴのためのＲＲＣ  ＰＤＵを多重化することによって、ＳＲＡＴに関する構成パラメータを受け取ることができる。一実施形態では、ＷＴＲＵは、データ経路上でＲＲＣ  ＰＤＵを多重化および／または逆多重化し、ＲＲＣ  ＰＤＵの送信のために使用される無線ベアラ識別情報に基づいて、ＲＲＣメッセージが適用可能なＲＲＣ接続および／または状態機械を識別することができる。
【００９６】
例えば、ＷＴＲＵは、１つまたは複数のＳＲＢが、例えばＳＲＢ＿ＩＤに基づいて、特定のＲＡＴの制御シグナリングに関連付けられるように、構成することができる。ＷＴＲＵは、ＲＲＣ  ＰＤＵを受け取る場合、ＰＤＵがどの無線ベアラに関連付けられているかを決定し、例えば、ＷＴＲＵがＲＡＴ固有のセキュリティコンテキストを用いるように構成されている場合、認証（必要ならば）および暗号解除のための適切なセキュリティコンテキストを適用し、かつ／または関連付けられたＲＡＴに適用可能なＲＲＣ状態機械を使用して、ＲＲＣ  ＰＤＵを処理することができる。同様に、ＷＴＲＵは、適用可能なＲＲＣ状態機械との関連付けを使用して、ＲＲＣ  ＰＤＵを送信することができる。
【００９７】
一実施形態では、セキュリティアクティブ化および与えられた優先順位との関連付けの後、ＳＲＡＴに適用可能なＳＲＢを構成することができる。例えば、ＷＴＲＵは、例えばＨＳＰＡ  ＲＲＣ  ＰＤＵのサブセットまたはタイプに適用可能なＳＲＢが、ＬＴＥ  ＭＡＣ上でのＨＳＰＡ  ＲＲＣ  ＰＤＵのトランスポートのためのＳＲＢ１と同じ（または代替としてより低い）優先順位を有するように、構成することができる。例えば、ＷＴＲＵは、例えばＬＴＥ  ＲＲＣ  ＰＤＵのサブセットまたはタイプに適用可能な論理チャネルが、ＭＡＣ−ｅｈｓの多重化機能における特定の優先順位にマッピングされるように、構成することができる。
【００９８】
構成されたすべてのＲＡＴに対して単一のＲＲＣインスタンスを使用する実施形態（例えば、図３および図４に関して上で説明した実施形態）の場合、ＷＴＲＵが、ＳＲＡＴのための少なくとも１つのサービングセルを追加する構成を受け取るならば、以下で説明される例の１つまたは複数を使用して、無線リソース管理を実施することができる。そのような実施形態では、ＷＴＲＵは、ＰＲＡＴを用いる確立されたＲＲＣ接続（例えば、図３の３０６）を有することができる。
【００９９】
一実施形態では、（例えば、ＰＲＡＴについての）セキュリティがアクティブ化される場合、ＷＴＲＵは、ＳＲＡＴのためのサービングセルを追加することができ、その場合、それは、適用可能な場合（例えば、複数のデータ経路が使用される場合）、アクセス層のためのインテグリティ保護および暗号化に、同じ構成を適用することができる。
【０１００】
一実施形態では、ＷＴＲＵは、ＳＲＡＴの少なくとも１つのサービングセルのための構成の少なくとも一部を追加、変更、または削除する旨のＲＲＣメッセージを受け取ることができる。ＷＴＲＵは、関連する構成の適用に成功しないことがあり、その場合、それは、関連するサービングセルの構成を無効化し、関連するサービングセルの構成を削除し、ＳＲＡＴのすべてのサービングセルのための構成を無効化し、ＳＲＡＴのすべてのサービングセルのための構成を削除し、ＳＲＡＴのための無線フロントエンドをオフにし、構成が失敗したことをネットワークに知らせ、かつ／またはＳＲＡＴ  ＲＲＣ接続のＳＲＡＴ  ＲＲＣインスタンスを終了させることができる。特に、ＳＲＡＴに対する構成の適用の失敗は、ＰＲＡＴのためのＲＲＣ接続の動作および／または構成には影響し得ない。ＳＲＡＴに適用可能なＲＲＣ手順の正常な完了に失敗する場合、ＷＴＲＵは、手順をアボートし、関連するＳＲＡＴについての手順をＷＴＲＵが開始する前の状態に復帰することができる。
【０１０１】
ＬＴＥがＰＲＡＴである場合、ＲＲＣインスタンスは、以下の実施形態のいずれかに従って、ＳＲＡＴのための無線リソース管理を実行することができる。一実施形態では、ＰＲＡＴのためのＷＴＲＵ動作は、関連するＲＡＴのための典型的な手順に従うことができる。一実施形態では、ＷＴＲＵは、ＬＴＥ  ＰＲＡＴの構成されたサービングセルのための、例えば、ＰＣｅｌｌのための、ＲＬＭを実行することができる。ＷＴＲＵは、対応するＲＡＴのサービングセルのＲＬＦについての基準に従って、それがＬＴＥ  ＰＲＡＴのＰＣｅｌｌ上でＵＬ  ＲＬＦを被っていると判定することができる。ＷＴＲＵは、それがＬＴＥ  ＰＲＡＴのＰＣｅｌｌについてＲＬＦ（ＤＬまたはＵＬ）であると判定する場合、ＲＲＣ＿ＣＯＮＮＥＣＴＥＤからＲＲＣ＿ＩＤＬＥへのＲＲＣ状態遷移を実行することができ、その場合、それは、ＨＳＰＡ  ＳＲＡＴのすべてのサービングセルのための構成を削除し、かつ／またはＨＳＰＡ  ＳＲＡＴのための無線フロントエンドをオフにすることができる。
【０１０２】
ＷＴＲＵは、ＨＳＰＡ  ＳＲＡＴの構成されたサービングセルのためのＲＬＭも実行することができる。ＷＴＲＵは、対応するＲＡＴのサービングセルのＲＬＦについての基準に従って、それがプライマリサービングセル上でＵＬ  ＲＬＦを被っていると判定することができる。ＷＴＲＵがＨＳＰＡ  ＳＲＡＴのサービングセルについてＵＬ  ＲＬＦであると判定するならば、ＷＴＲＵは、関連するサービングセルの構成を無効化し、関連するサービングセルの構成を削除し、関連するサービングセルのランダムアクセス構成を無効化し、関連するサービングセルのランダムアクセス構成を削除し、ＨＳＰＡ  ＳＲＡＴのすべてのサービングセルのための構成を無効化し、ＨＳＰＡ  ＳＲＡＴのすべてのサービングセルのための構成を削除し、ＨＳＰＡ  ＳＲＡＴのための無線フロントエンドをオフにし、関連するサービングセルについてのＵＬ  ＲＬＦ状態をネットワークに知らせ、セカンダリＲＡＴサービングセルを非アクティブ化されたものと見なし、かつ／またはＳＲＡＴ  ＲＲＣ接続のＳＲＡＴ  ＲＲＣインスタンスを終了させることができる。
【０１０３】
一実施形態では、ＷＴＲＵは、対応するＲＡＴのサービングセルのＲＬＦについての基準に従って、それがＤＬ  ＲＬＦを被っていると判定することができる。ＷＴＲＵがＨＳＰＡ  ＳＲＡＴのサービングセルについてＤＬ  ＲＬＦであると判定するならば、ＷＴＲＵは、関連するサービングセルの構成を無効化し、関連するサービングセルの構成を削除し、ＨＳＰＡ  ＳＲＡＴのすべてのサービングセルのための構成を無効化し、ＨＳＰＡ  ＳＲＡＴのすべてのサービングセルのための構成を削除し、ＨＳＰＡ  ＳＲＡＴのための無線フロントエンドをオフにし、かつ／または関連するサービングセルについてのＤＬ  ＲＬＦ状態をネットワークに知らせることができる。
【０１０４】
ＷＴＲＵは、ＬＴＥ  ＲＲＣ＿ＣＯＮＮＥＣＴＥＤからＬＴＥ  ＲＲＣ＿ＩＤＬＥへのＲＲＣ状態遷移を実行することができ、その場合、ＷＴＲＵは、ＳＲＡＴのすべてのサービングセルのための構成を無効化し、ＳＲＡＴのすべてのサービングセルのための構成を削除し、ＳＲＡＴのための無線フロントエンドをオフにし、かつ／またはセカンダリＲＡＴ  ＲＲＣインスタンスまたはＳＲＡＴ  ＲＲＣ接続を終了させることができる。
【０１０５】
ＰＲＡＴ  ＬＴＥ  ＲＲＣインスタンスは、ＰＵＣＣＨ／ＳＲＳ専用リソースを解放するための表示を下位レイヤ（例えば、ＬＴＥ  ＭＡＣ）から受け取ることができる。これは、例えば、ＳＲのための構成されたＰＵＣＣＨリソース上でのＳＲ送信が最大回数に達すると、またはＴＡＴが満了する場合に起こり得る。ＴＡＴが満了する場合、ＷＴＲＵは、もはや有効なタイミングアドバンスを有さず、もはやＵＬ送信について同期していない。この場合、ＷＴＲＵは、ＳＲＡＴのすべてのサービングセルのための構成を無効化し、ＳＲＡＴのすべてのサービングセルのための構成を削除し、ＳＲＡＴのための無線フロントエンドをオフにし、かつ／またはＳＲＡＴ  ＲＲＣインスタンスまたはＳＲＡＴ  ＲＲＣ接続を終了させることができる。
【０１０６】
ＨＳＰＡがＰＲＡＴである場合、ＲＲＣインスタンスは、以下の実施形態のいずれかに従って、ＳＲＡＴのための無線リソース管理を実行することができる。加えて、ＰＲＡＴのためのＷＴＲＵ動作は、関連するＲＡＴのための典型的な手順に従うことができる。
【０１０７】
一実施形態では、ＷＴＲＵは、構成されたＵＬリソースを用いる第１のＬＴＥサービングセルのための構成を追加する旨の無線リソース再構成メッセージを受け取り、その後、ＵＬタイミング同期を獲得するための手順（例えば、セルのＵＬ  ＰＲＡＣＨリソース上でのランダムアクセス手順）を開始することができる。一実施形態では、ＷＴＲＵは、構成されたＵＬリソースを用いる少なくとも１つのＬＴＥサービングセルのための構成を含むことができる、ハンドオーバコマンドを受け取ることができる。ＷＴＲＵは、ＨＳＰＡターゲットセルへの初期アクセスに加えて、ＵＬタイミング同期を獲得するための手順（例えば、ＬＴＥターゲットセルのＵＬ  ＰＲＡＣＨリソース上でのランダムアクセス手順）も開始することができる。
【０１０８】
一実施形態では、ＷＴＲＵは、ＰＲＡＴの構成されたサービングセルの１つまたは複数のための、特に、ＨＳＰＡ  ＰＲＡＴのプライマリサービングセルのための、ＲＬＭを実行することができる。ＷＴＲＵは、例えば、対応するＲＡＴのサービングセルのＲＬＦについての基準に従って、それがプライマリサービングセル上でＲＬＦを被っていると判定することができる。それがＨＳＰＡ  ＰＲＡＴのプライマリサービングセルについてＵＬ  ＲＬＦであると判定するならば、ＨＳＰＡ  ＰＲＡＴのためのＲＲＣインスタンスは、物理レイヤから第１の同期外れ表示を受け取ることができ、ＵＬ送信の実行を差し控えることができる。ＬＴＥ  ＳＲＡＴの少なくとも１つのサービングセルが、ＵＬリソースを用いるように構成され、サービングセル上でＵＬフィードバック情報を送信できる場合、ＷＴＲＵは、任意の送信をＬＴＥ  ＳＲＡＴ上で続行することができる。
【０１０９】
ＷＴＲＵは、それがＨＳＰＡ  ＰＲＡＴのプライマリサービングセルについてＲＬＦ（ＤＬおよび／またはＵＬ）であると判定する場合、ＣＥＬＬ＿ＤＣＨからの（および／またはＣＥＬＬ＿ＦＡＣＨへの）ＲＲＣ状態遷移を実行することができ、その場合、それは、ＬＴＥ  ＳＲＡＴのすべてのサービングセルのための構成を削除し、ＬＴＥ  ＳＲＡＴのための無線フロントエンドをオフにし、かつ／またはＬＴＥ  ＳＲＡＴを指図によって非アクティブ化されたものと見なすことができる。
【０１１０】
一実施形態では、ＷＴＲＵは、ＬＴＥ  ＳＲＡＴの構成されたサービングセルのためのＲＬＭを実行することができる。ＷＴＲＵは、対応するＲＡＴのサービングセルのＲＬＦについての基準に従って、それがＬＴＥ  ＳＲＡＴのサービングセル、特にＰＣｅｌｌ上でＵＬ  ＲＬＦを被っていると判定することができる。それがＬＴＥ  ＳＲＡＴのサービングセルについてＵＬ  ＲＬＦであると判定するならば、ＷＴＲＵは、関連するサービングセルの構成を無効化し、関連するサービングセルの構成を削除し、関連するサービングセルのランダムアクセス構成を無効化し、関連するサービングセルのランダムアクセス構成を削除し、ＬＴＥ  ＳＲＡＴのすべてのサービングセルのための構成を無効化し、ＬＴＥ  ＳＲＡＴのすべてのサービングセルのための構成を削除し、ＬＴＥ  ＳＲＡＴのための無線フロントエンドをオフにし、関連するサービングセルについてのＵＬ  ＲＬＦ状態をネットワークに知らせ、かつ／またはＳＲＡＴ  ＲＲＣインスタンスまたはＳＲＡＴ  ＲＲＣ接続を終了させることができる。
【０１１１】
一実施形態では、ＷＴＲＵは、対応するＲＡＴのサービングセルのＲＬＦについての基準に従って、それがＤＬ  ＲＬＦを被っていると判定することができる。それがＬＴＥ  ＳＲＡＴのサービングセルについてＤＬ  ＲＬＦであると判定するならば、ＷＴＲＵは、関連するサービングセルの構成を無効化し、関連するサービングセルの構成を削除し、ＬＴＥ  ＳＲＡＴのすべてのサービングセルのための構成を無効化し、ＬＴＥ  ＳＲＡＴのすべてのサービングセルのための構成を削除し、ＬＴＥ  ＳＲＡＴのための無線フロントエンドをオフにし、関連するサービングセルについてのＤＬ  ＲＬＦ状態をネットワークに知らせ、かつ／またはＳＲＡＴ  ＲＲＣインスタンスまたはＳＲＡＴ  ＲＲＣ接続を終了させることができる。
【０１１２】
一実施形態では、ＷＴＲＵは、接続状態（例えば、ＣＥＬＬ＿ＤＣＨ、ＣＥＬＬ＿ＰＣＨ、またはＵＲＡ＿ＰＣＨ）からアイドルモードへのＲＲＣ状態遷移を実行することができ、その場合、ＷＴＲＵは、ＬＴＥ  ＳＲＡＴのすべてのサービングセルのための構成を無効化し、ＬＴＥ  ＳＲＡＴのすべてのサービングセルのための構成を削除し、かつ／またはＬＴＥ  ＳＲＡＴのための無線フロントエンドをオフにすることができる。
【０１１３】
実施形態
【０１１４】
１．マルチ無線アクセス技術（ＲＡＴ）動作のために構成されたワイヤレス送受信ユニット（ＷＴＲＵ）においてワイヤレス通信を実行する方法であって、ＷＴＲＵが、第１のＲＡＴに従って第１の動作周波数上で情報をワイヤレスで伝達するステップを含む、方法。
【０１１５】
２．ＷＴＲＵが、第２のＲＡＴに従って第２の動作周波数上で情報をワイヤレスで伝達するステップをさらに含む、実施形態１に記載の方法。
【０１１６】
３．第１のＲＡＴは、ロングタームエボリューション（ＬＴＥ）および高速パケットアクセス（ＨＳＰＡ）の一方であり、第２のＲＡＴは、ＨＳＰＡ、ＬＴＥ、およびＷｉＦｉのうちの１つである、実施形態１または２に記載の方法。
【０１１７】
４．ＷＴＲＵが、ＲＲＣインスタンスを使用して第１のＲＡＴにおいて無線リソース制御（ＲＲＣ）接続を確立するステップをさらに含む、実施形態１〜３のいずれか１つに記載の方法。
【０１１８】
５．ＷＴＲＵが、ＲＲＣ接続上で第２のＲＡＴの少なくとも１つのサービングセルのための構成を受け取るステップをさらに含む、実施形態４に記載の方法。
【０１１９】
６．ＷＴＲＵが、ＲＲＣインスタンスを使用して第２のＲＡＴのための無線リソースを構成するステップをさらに含む、実施形態５に記載の方法。
【０１２０】
７．ＷＴＲＵは、第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、第２のＲＡＴのすべてのサービングセルのための構成を無効化すること、第２のＲＡＴのすべてのサービングセルのための構成を削除すること、および第２のＲＡＴのための無線フロントエンドをオフにすることのうちの少なくとも１つを実行する、実施形態１〜６のいずれか１つに記載の方法。
【０１２１】
８．ＷＴＲＵが、第１のＲＡＴに対応するタイプのＲＲＣプロトコルデータユニット（ＰＤＵ）を送信および受信するステップであって、第１のＲＡＴに対応するタイプのＲＲＣ  ＰＤＵは第２のＲＡＴに対応する少なくとも１つの情報要素（ＩＥ）を含む、ステップをさらに含む、実施形態１〜７のいずれか１つに記載の方法。
【０１２２】
９．ＷＴＲＵが、第１のＲＲＣインスタンスを使用して第１のＲＡＴにおいて無線リソース制御（ＲＲＣ）接続を確立するステップをさらに含む、実施形態１〜８のいずれか１つに記載の方法。
【０１２３】
１０．ＷＴＲＵが、ＲＲＣ接続上で第２のＲＡＴの少なくとも１つのサービングセルのための構成を受け取るステップをさらに含む、実施形態９に記載の方法。
【０１２４】
１１．ＷＴＲＵが、第２のＲＲＣインスタンスを使用して第２のＲＡＴのための無線リソースを構成するステップをさらに含む、実施形態９または１０に記載の方法。
【０１２５】
１２．ＷＴＲＵが、ＲＲＣ接続上でＰＤＵを送信および受信するステップであって、ＰＤＵの各々は、第１のＲＲＣインスタンスおよび第２のＲＲＣインスタンスの一方に対応するシグナリング無線ベアラ識別子（ＳＲＢ＿ＩＤ）を有する、ステップをさらに含む、実施形態９〜１１のいずれか１つに記載の方法。
【０１２６】
１３．ＷＴＲＵは、第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、第２のＲＡＴのすべてのサービングセルのための構成を無効化すること、第２のＲＡＴのすべてのサービングセルのための構成を削除すること、第２のＲＡＴのための無線フロントエンドをオフにすること、および第２のＲＲＣインスタンスを終了させることのうちの少なくとも１つを実行する、実施形態９〜１２のいずれか１つに記載の方法。
【０１２７】
１４．ＷＴＲＵが、第１のＲＲＣインスタンスを使用して第１のＲＡＴにおいて第１の無線リソース制御（ＲＲＣ）接続を確立するステップをさらに含む、実施形態１〜１３のいずれか１つに記載の方法。
【０１２８】
１５．ＷＴＲＵが、第２のＲＲＣインスタンスを使用して第２のＲＡＴにおいて第２のＲＲＣ接続を確立するステップをさらに含む、実施形態１４に記載の方法。
【０１２９】
１６．ＷＴＲＵが、第１のＲＡＴのためにアクティブ化されているセキュリティに応答して、第２のＲＡＴにおいて第２のＲＲＣ接続のためのサービングセルを追加するステップをさらに含む、実施形態１４または１５に記載の方法。
【０１３０】
１７．ＷＴＲＵが、第１のＲＡＴの構成されたサービングセルに対して無線リンク監視（ＲＬＭ）を実行するステップであって、第１のＲＡＴは、ＬＴＥである、ステップをさらに含む、実施形態１４または１５に記載の方法。
【０１３１】
１８．ＷＴＲＵが、第１のＲＡＴの構成されたサービングセルが無線リンク障害（ＲＬＦ）を被っているかどうかを判定するステップをさらに含む、実施形態１７に記載の方法。
【０１３２】
１９．ＷＴＲＵが、第１のＲＡＴの構成されたサービングセルがＲＬＦを被っていると判定するならば、第２のＲＡＴのすべてのサービングセルのための構成を削除すること、および第２のＲＡＴのための無線フロントエンドをオフにすることの少なくとも一方を実行するステップであって、第２のＲＡＴは、ＨＳＰＡである、ステップをさらに含む、実施形態１７または１８に記載の方法。
【０１３３】
２０．ＷＴＲＵが、第１のＲＲＣ接続に基づいて第２のＲＲＣ接続のためのモビリティ管理を構成するステップをさらに含む、実施形態１４または１５に記載の方法。
【０１３４】
２１．マルチ無線アクセス技術（ＲＡＴ）動作のために構成されたワイヤレス送受信ユニット（ＷＴＲＵ）であって、第１のＲＡＴに従って第１の動作周波数上で情報をワイヤレスで伝達するように構成されたトランシーバを備える、ＷＴＲＵ。
【０１３５】
２２．トランシーバは、第２のＲＡＴに従って第２の動作周波数上で情報をワイヤレスで伝達するようにさらに構成される、実施形態２１に記載のＷＴＲＵ。
【０１３６】
２３．第１のＲＡＴは、ロングタームエボリューション（ＬＴＥ）および高速パケットアクセス（ＨＳＰＡ）の一方であり、第２のＲＡＴは、ＨＳＰＡ、ＬＴＥ、およびＷｉＦｉのうちの１つである、実施形態２１または２２に記載のＷＴＲＵ。
【０１３７】
２４．ＲＲＣインスタンスを使用して第１のＲＡＴにおいて無線リソース制御（ＲＲＣ）接続を確立するように構成されたプロセッサをさらに備える、実施形態２１または２２に記載のＷＴＲＵ。
【０１３８】
２５．トランシーバは、ＲＲＣ接続上で第２のＲＡＴの少なくとも１つのサービングセルのための構成を受け取るようにさらに構成される、実施形態２４に記載のＷＴＲＵ。
【０１３９】
２６．プロセッサは、ＲＲＣインスタンスを使用して第２のＲＡＴのための無線リソースを構成するようにさらに構成される、実施形態２４または２５に記載のＷＴＲＵ。
【０１４０】
２７．トランシーバは、第１のＲＡＴに対応するタイプのＲＲＣプロトコルデータユニット（ＰＤＵ）を送信および受信するようにさらに構成され、第１のＲＡＴに対応するタイプのＲＲＣ  ＰＤＵは第２のＲＡＴに対応する少なくとも１つの情報要素（ＩＥ）を含む、実施形態２４〜２６のいずれか１つに記載のＷＴＲＵ。
【０１４１】
２８．第１のＲＲＣインスタンスを使用して第１のＲＡＴにおいて無線リソース制御（ＲＲＣ）接続を確立するように構成されたプロセッサをさらに備える、実施形態２１〜２７のいずれか１つに記載のＷＴＲＵ。
【０１４２】
２９．トランシーバは、ＲＲＣ接続上で第２のＲＡＴの少なくとも１つのサービングセルのための構成を受け取るようにさらに構成される、実施形態２８に記載のＷＴＲＵ。
【０１４３】
３０．プロセッサは、第２のＲＲＣインスタンスを使用して第２のＲＡＴのための無線リソースを構成するようにさらに構成される、実施形態２８または２９に記載のＷＴＲＵ。
【０１４４】
３１．トランシーバは、ＲＲＣ接続上でＰＤＵを送信および受信するようにさらに構成され、ＰＤＵの各々は、第１のＲＲＣインスタンスおよび第２のＲＲＣインスタンスの一方に対応するシグナリング無線ベアラ識別子（ＳＲＢ＿ＩＤ）を有する、実施形態２８〜３０のいずれか１つに記載のＷＴＲＵ。
【０１４５】
３２．プロセッサは、第１のＲＡＴ上でＬＴＥ  ＲＲＣ＿ＣＯＮＮＥＣＴＥＤからＬＴＥ  ＲＲＣ＿ＩＤＬＥへのＲＲＣ状態遷移を実行するならば、第２のＲＡＴのすべてのサービングセルのための構成を無効化すること、第２のＲＡＴのすべてのサービングセルのための構成を削除すること、第２のＲＡＴのための無線フロントエンドをオフにすること、および第２のＲＲＣインスタンスを終了させることのうちの少なくとも１つを実行するようにさらに構成される、実施形態２８〜３０のいずれか１つに記載のＷＴＲＵ。
【０１４６】
３３．第１のＲＲＣインスタンスを使用して第１のＲＡＴにおいて第１の無線リソース制御（ＲＲＣ）接続を確立するように構成されたプロセッサをさらに備える、実施形態２１〜３２のいずれか１つに記載のＷＴＲＵ。
【０１４７】
３４．プロセッサは、第２のＲＲＣインスタンスを使用して第２のＲＡＴにおいて第２のＲＲＣ接続を確立するようにさらに構成される、実施形態３３に記載のＷＴＲＵ。
【０１４８】
３５．プロセッサは、第１のＲＡＴのためにアクティブ化されているセキュリティに応答して、第２のＲＡＴにおいて第２のＲＲＣ接続のためのサービングセルを追加するようにさらに構成される、実施形態３３または３４に記載のＷＴＲＵ。
【０１４９】
３６．プロセッサは、第１のＲＡＴの構成されたサービングセルに対して無線リンク監視（ＲＬＭ）を実行するようにさらに構成される、実施形態３３〜３５のいずれか１つに記載のＷＴＲＵ。
【０１５０】
３７．第１のＲＡＴは、ＬＴＥである、実施形態３６に記載のＷＴＲＵ。
【０１５１】
３８．プロセッサは、第１のＲＡＴの構成されたサービングセルがアップリンク（ＵＬ）無線リンク障害（ＲＬＦ）を被っているかどうかを判定するようにさらに構成される、実施形態３３〜３７のいずれか１つに記載のＷＴＲＵ。
【０１５２】
３９．プロセッサは、第１のＲＡＴの構成されたサービングセルがＵＬ  ＲＬＦを被っていると判定するならば、第２のＲＡＴのすべてのサービングセルのための構成を削除すること、および第２のＲＡＴのための無線フロントエンドをオフにすることの少なくとも一方を実行するようにさらに構成され、第２のＲＡＴは、ＨＳＰＡである、実施形態３３〜３７のいずれか１つに記載のＷＴＲＵ。
【０１５３】
４０．プロセッサは、第１のＲＲＣ接続に基づいて第２のＲＲＣ接続のためのモビリティ管理を構成するようにさらに構成される、実施形態３３〜３９のいずれか１つに記載のＷＴＲＵ。
【０１５４】
上では特徴および要素を特定の組み合わせで説明したが、各特徴または要素は、単独で使用でき、または他の特徴および要素との任意の組み合わせで使用できることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施することができる。コンピュータ可読媒体の例は、（有線接続または無線接続を介して送信される）電子信号と、コンピュータ可読記憶媒体とを含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、およびＣＤ−ＲＯＭディスクおよびデジタル多用途ディスク（ＤＶＤ）などの光媒体を含むが、それらに限定されない。ソフトウェアと連携するプロセッサは、ＷＴＲＵ、ＵＥ、端末、基地局、ＲＮＣ、または任意のホストコンピュータで使用するための無線周波トランシーバを実施するために使用することができる。
【図１Ａ】
2019176510.tif 000003
【図１Ｂ】
2019176510.tif 000004
【図１Ｃ】
2019176510.tif 000005
【図２】
2019176510.tif 000006
【図３】
2019176510.tif 000007
【図４】
2019176510.tif 000008
【図５】
2019176510.tif 000009
【図６】
2019176510.tif 000010
【図７】
2019176510.tif 000011
【図８】
2019176510.tif 000012
【図９】
2019176510.tif 000013
【手続補正書】
【提出日】令和1年7月19日(2019.7.19)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
第１の無線アクセス技術（ＲＡＴ）を使用して、無線リソース制御（ＲＲＣ）情報を通信する手段と、
前記第１のＲＡＴを使用して、第２のＲＡＴのための構成情報を含んでいるＲＲＣメッセージを受信する手段であって、前記第２のＲＡＴのための前記構成情報は、前記第２のＲＡＴのためのシステム情報（ＳＩ）情報要素を含み、前記第１のＲＡＴおよび前記第２のＲＡＴは異なるＲＡＴである、受信する手段と、
前記第１のＲＡＴおよび前記第２のＲＡＴの両方を使用して、通信をする手段と
を備えたことを特徴とするＷＴＲＵ。
【請求項２】
前記ＲＲＣメッセージは、前記第１のＲＡＴの第１のシグナリング無線ベアラ（ＳＲＢ）上で受信され、前記ＲＲＣメッセージは前記第２のＲＡＴの第２のＳＲＢのための構成情報を含むことを特徴とする請求項１に記載のＷＴＲＵ。
【請求項３】
前記第１のＲＡＴの前記ＲＲＣ情報は、第１のフォーマットを使用して通信され、前記第２のＲＡＴのＲＲＣ情報は、前記第１のフォーマットとは異なる第２のフォーマットを使用して通信されることを特徴とする請求項１に記載のＷＴＲＵ。
【請求項４】
前記ＲＲＣメッセージは、前記第２のＲＡＴのための無線ベアラ情報要素をさらに含むことを特徴とする請求項１に記載のＷＴＲＵ。
【請求項５】
前記第１のＲＡＴは第１の媒体アクセス制御（ＭＡＣ）エンティティを有し、
前記ＲＲＣメッセージに応答して、前記第２のＲＡＴのための第２のＭＡＣエンティティを確立する手段と、
前記第１のＭＡＣエンティティおよび前記第２のＭＡＣエンティティの両方を使用して、通信をする手段と
をさらに備えたことを特徴とする請求項１に記載のＷＴＲＵ。
【請求項６】
単一のＲＲＣ状態が、前記第１のＲＡＴおよび前記第２のＲＡＴの両方に対して使用されることを特徴とする請求項１に記載のＷＴＲＵ。
【請求項７】
単一のＲＲＣインスタンスおよび単一のＲＲＣ状態マシーンが、前記第１のＲＡＴおよび前記第２のＲＡＴの両方に対して使用されることを特徴とする請求項６に記載のＷＴＲＵ。
【請求項８】
前記第１のＲＡＴは、ロングタームエヴォル―ションであることを特徴とする請求項１に記載のＷＴＲＵ。
【請求項９】
第１のＷＴＲＵ識別が前記第１のＲＡＴと関連付けられ、第２のＷＴＲＵ識別が前記第２のＲＡＴと関連付けられ、前記ＷＴＲＵは前記第１のＲＡＴを使用する通信のための前記第１のＷＴＲＵ識別を、および、前記第２のＲＡＴを使用する通信のための前記第２のＷＴＲＵ識別を使用することを特徴とする請求項１に記載のＷＴＲＵ。
【請求項１０】
前記構成情報は、コンテナの中に含まれることを特徴とする請求項１に記載のＷＴＲＵ。
【請求項１１】
無線送受信ユニット（ＷＴＲＵ）によって実施される方法において、
第１の無線アクセス技術（ＲＡＴ）を使用して、無線リソース制御（ＲＲＣ）情報を通信するステップと、
前記第１のＲＡＴを使用して、第２のＲＡＴのための構成情報を含んでいるＲＲＣメッセージを受信するステップであって、前記第２のＲＡＴのための前記構成情報は、前記第２のＲＡＴのためのシステム情報（ＳＩ）情報要素を含み、前記第１のＲＡＴおよび前記第２のＲＡＴは異なるＲＡＴである、受信するステップと、
前記第１のＲＡＴおよび前記第２のＲＡＴの両方を使用して、通信をするステップと
を備えることを特徴とする方法。
【請求項１２】
前記ＲＲＣメッセージは、前記第１のＲＡＴの第１のシグナリング無線ベアラ（ＳＲＢ）上で受信され、前記ＲＲＣメッセージは前記第２のＲＡＴの第２のＳＲＢのための構成情報を含むことを特徴とする請求項１１に記載の方法。
【請求項１３】
前記第１のＲＡＴの前記ＲＲＣ情報は、第１のフォーマットを使用して通信され、前記第２のＲＡＴのＲＲＣ情報は、前記第１のフォーマットとは異なる第２のフォーマットを使用して通信されることを特徴とする請求項１１に記載の方法。
【請求項１４】
前記ＲＲＣメッセージは、前記第２のＲＡＴのための無線ベアラ情報要素をさらに含むことを特徴とする請求項１１に記載の方法。
【請求項１５】
前記第１のＲＡＴは第１の媒体アクセス制御（ＭＡＣ）エンティティを有し、
前記ＲＲＣメッセージに応答して、前記第２のＲＡＴのための第２のＭＡＣエンティティを確立するステップと、
前記第１のＭＡＣエンティティおよび前記第２のＭＡＣエンティティの両方を使用して、通信をするステップと
をさらに備えることを特徴とする請求項１１に記載の方法。
【請求項１６】
単一のＲＲＣ状態が、前記第１のＲＡＴおよび前記第２のＲＡＴの両方に対して使用されることを特徴とする請求項１１に記載の方法。
【請求項１７】
単一のＲＲＣインスタンスおよび単一のＲＲＣ状態マシーンが、前記第１のＲＡＴおよび前記第２のＲＡＴの両方に対して使用されることを特徴とする請求項１６に記載の方法。
【請求項１８】
前記第１のＲＡＴは、ロングタームエヴォル―ションであることを特徴とする請求項１１に記載の方法。
【請求項１９】
第１のＷＴＲＵ識別が前記第１のＲＡＴと関連付けられ、第２のＷＴＲＵ識別が前記第２のＲＡＴと関連付けられ、前記ＷＴＲＵは前記第１のＲＡＴを使用する通信のための前記第１のＷＴＲＵ識別を、および、前記第２のＲＡＴを使用する通信のための前記第２のＷＴＲＵ識別を使用することを特徴とする請求項１１に記載の方法。
【請求項２０】
前記構成情報は、コンテナの中に含まれることを特徴とする請求項１１に記載の方法。
【外国語明細書】
2019176510000001.pdf